(57)【要約】【課題】額縁をより使い易く、発展的なものにすることが課題であり、その内容は、飾る写真などを入れ替え易くすることであり、壁掛け作業を合理的にすること、水平をとりやすくする事、額縁の趣を変更できることなどの７つである。【解決手段】重ね貼り合わせにより、横入れ方式その他の方式を提案するとともに、ピンソケットを提案した。また、アクセサリーラックとその専用アクセサリーを組み合わせて使う全部アクセサリーラック付きの額縁が作成された。これから新しい方式の額縁と壁掛けの方法見出され、これらの課題は包括的に解決されることになった。【選択図】図１２
2007268281.tif 000002
【特許請求の範囲】
【請求項１】
貼り合わせの横入れ方式の額縁を作成すること。これに関する図は、図１、図２、図３、図５、図６、図１１、図１２、図１３である。また、この方法によってできるなお、底板、中板、縁板の各元板の追加使用を含む。また、実施例１、実施例２を含む。
【請求項２】
横入れ方式の額縁を作成すること。この額縁の構造は、図１４、図１５、図１６、図１７により表わされている。
【請求項３】
額縁の作成において、ピンソケットのうち側面式のピンソケットの構造を設けた額縁を作成すること。側面式ピンソケットに関する図は、図１８から図２３までの図であり、その構造は、図２４から図２７までの図によって表されている。なお、実施例５を含む。
【請求項４】
額縁の作成において、ピンソケットのうち、背面式のピンソケットの構造を設けた額縁を作成すること。この場合、背面式のピンソケットは、Ｌ字型のピンソケットを含む。背面式のピンソケットに関する図は、図１８から図２０までと、図２８から図３０までの図であり、その構造は、図３１から図３５までの図によって表されている。なお、実施例５を含む。
【請求項５】
額縁の作成において、基本ラック、上下のラック、部分ラックを作成し、それぞれに見合う専用アクセサリーを作成すること。基本ラックに関する図は、図３６および図４２、図４３であり、その構造は、図４４から図４６までの図によって表されている。上下のラックに関する図は、基本ラックに関する図と図４７であり、部分ラックに関する図は、図４８である。また、この場合、専用アクセサリーは、それぞれのラックに使用する長さのものを含み、これに関する図は、図３７から図４１までの図を基礎に、図３６および図４７、図４８である。
【請求項６】
額縁の作成において、専用アクセサリーの組み込み、取り外しを前提にした全部アクセサリーラックを設けた額縁を作成すること。この場合、全部ラック付きの２方式の額縁と正面入れ替え方式における拡張型の額縁を含む。主な説明図は、図４１から図４７、図４９と図５０、図５５であり、その構造は、全部ラックつきの裏蓋方式が図４４から図４６および図５６から図５９までの図によって表わされており、拡張型が、図６６、図６７と図７３から図７７までの図による。全部ラック付きの横入れ方式の説明は、実施例３である。これらに使用する専用アクセサリーにおいては、基板の組み足しを含み、拡張型においては、基板の簡単化と簡単化の戻しを含む。なお、中板の追加使用を含む。なお、拡張型の額縁については、実施例６、実施例８、実施例９および実施例１０を含む。
【請求項７】
額縁の作成において、正面入れ替え方式のうち、ラック型の額縁を作成し、これに見合う専用アクセサリーまたはその基板を作成すること。この場合、専用アクセサリーまたはその基板の外形と同一の収納アタッチメントの作成使用を含む。ラック型に関する主な図は、図４９、図５０、図５５などであり、その構造は、図６２から図６５までとなっている。なお、実施例４、実施例９を含む。
【請求項８】
正面入れ替え方式のうち、拡張型の額縁の作成において、専用アクセサリーの内枠化をおこなうこと。なお、単純外枠の中板の追加を含む。主な説明図は、図６８から図７２までの図までとなっている。実施例８を含む。
【請求項９】
額縁を壁面等に埋め込んで絵などを飾る場合において、専用アクセサリーの組み込み、取り外しによる壁掛けを前提としたラックスペースとラックハンドを造ること。この場合、埋め込む額縁として想定する正面入れ替え方式の額縁はラック型とし、これには、表蓋型の面構造を持つ額縁が含まれる。また、これらが箱型の構造をはじめ、裏蓋型または中板ＢＯＥの連続追加による構造または連結される場合をも含む。主な説明図は、図６２から図６５までと図８３から図８６までとなっている。実施例７を含む。
【請求項１０】
額縁を壁面等に埋め込んで絵などを飾る場合において、専用アクセサリーの組み込み、取り外しによる壁掛けを前提としたラックスペースとラックハンドを造ること。この場合、埋め込む額縁として想定する正面入れ替え方式の額縁は拡張型とし、これには、縁枠型とマット型の面構造を持つ額縁が含まれる。また、これらが箱型の構造をはじめ、裏蓋型または中板ＢＯＥの連続追加による構造に連結される場合をも含む。主な説明図は、図７３から図７７までと図７８から図８２までと図８３から図８６までとなっている。実施例７を含む。
【請求項１１】
埋め込みの一定部分に横長ラックハンドを作成して、これに組み込み固定できる埋め込みユニットを作成すること。この場合、調整ユニットを含む。説明図は、図８７から９４までとなっている。
【請求項１２】
埋め込みユニットの作成において、横１Ｂハンドの限定カットを行うこと。主な説明図は、図８７、図８８、図９０から図９５までとなっている。
【発明の詳細な説明】
【技術分野】
【０００１】  この提案の骨子は、額縁をより使い易くより発展性のあるものにするために、伝統的な作成方法とは異なる作成方法を提案するものである。その方法は、薄く平たい数枚の板に必要な加工を施し、これらの板を貼り合わせる事によって形成される板の層と一定の空間により、額縁に必要な部分やその他の装置となる空間を本体の作成と一体的に作るものであり、各板を１枚１枚重ねて増やす形の作成プロセスとなり、額縁に必要な部分が、それぞれ、重ねた板の厚さの分だけ同時並行的に厚みを増しながら形成されるので、１本の角材に加工を施し、それを既に出来上がった部品として組み立てる伝統的な工法とは異なる。また、貼り合わせによってできる構造は単純なものではあるが、額縁として有効に機能するものであり、伝統的な工法とプラスチックなどによる一体形成の中間に位置づけられると考えられる。
【背景技術】
【０００２】  現在、一般市場において、購入できる額縁は、そのほとんどが、裏面に写真などを入れ替えるための蓋を設けており、この蓋を取り外して入れ替える方式（以下、この額縁を「裏蓋方式の額縁」と呼称する。）を採用しており入れ替え作業そのものが面倒である。また、額縁において写真などの印刷用紙を収納する部分の寸法が一般的に使用される用紙の規格に合わない場合は、用紙の中心を額縁の中心に合わせるのに手間がかかる。壁掛け作業においては、本体を支えるために、金具を使ったり、紐で前倒しに吊るしたり、和室に飾る場合は長押の上に飾ったりしなければならず、これにも手間がかかる。長押の上に直接据え付けて飾るのは、和室の壁面を金具で傷をつけたくないことや、額縁の水平をとる手間を省くためであると考えられる。さらに中に収めた写真などを湿気や埃から守るために、透明ガラスを保護板として最前面に配することが常識化しており、このガラスの重さによりますます取り扱いにくいものになっている。しかも画一的なデザインが多く飾る作品に合わせにくく、インテリアにも合った額縁を探すのに苦労する状況である。このような額縁は、写真が高価な物であった時代に、窓枠の製作技術がそのまま活用されたものと考えられる。【０００３】  近年は、透明ガラスの代わりに透明フィルムを使い、本体も軽い額縁が出回っているが、裏蓋方式に変わりはなく、飾る用紙の入れ替え作業と壁掛け作業における取り扱いにくさは依然として残っている。また、軽い額縁を紐でぶら下げた場合は水平を保ちにくく安定しない。今日では、各家庭においてパソコンのプリンタから気軽に出力される低コストの印刷物が極めて精密なものであり、またプリンタ出力に使用される用紙は、写真も含めてほとんどがＪＩＳ規格Ａ列およびＢ列であり、プリンタの機能により印刷用紙より小さい写真の部分をその用紙の中心部分に出力できるのが一般的となっている現状からして、このようなイージーユースに対応した機能を持つ額縁が求められていると考えられる。【０００４】  この機能とは、額縁としての機能、用紙を入れ替えやすくする機能、壁掛け作業を簡単にする機能であり、額縁そのものの趣を変えることができる４つの機能を併せ持つ額縁が時代の要請に適う額縁と言える。これを製作するには、既に一般的に普及された技術により充分可能であり、この中で、本考案では、板を部分的に切り抜いたり、切り取ったりして残った板の部分を重ねて貼り合わせると言う極めて単純な技術を採用している。
【発明の開示】
【発明が解決しようとする課題】
【０００５】  第１の課題は額縁に入れて飾る用紙を入れ替え易くする事であるが、裏蓋方式である限りこの点は改善されないので、額縁の作成段階で、新たな方式による額縁を追加的に採用する必要があり、額縁の作成にあたり、飾る写真や絵などを入れ替えるために、額縁本体の裏面に設けた蓋によるものではなく、本体側面または、上面から写真などを入れ替えできる方式の額縁（以下、この額縁を「横入れ方式の額縁」と呼称する。）を新たに採用する必要がある。横入れ方式の額縁の概念を理論的に創作するために、まず、普遍的な額縁としての基礎的な部分を一般の裏蓋方式の額縁から抽出する必要がある。【０００６】  これを表わしたものが、図１で表される空間であり、横の長さがＰＬ、縦の長さがＰＨの写真や絵などが据え置かれ、その厚さがＰＤで表わされる。枠状の斜線部分は、マスクされている部分であり、マスクされていないところから写真などを鑑賞できる。これが、いわゆる額縁の窓である。額縁の中にこの空間が内包され、据え置かれた写真などが躯体により支えられる構造をもったものが額縁であると考えられる。横入れ方式の額縁にも、この基礎的な部分をもつ構造が必要であり入れ替え方式の違いにかかわらず必要な部分である。この部分を持つ横入れ方式の額縁を作成する方法を提示するとともに、また、これによって、裏蓋方式の額縁も作ることができることにより、額縁の基礎的部分の把握の妥当性を検証できる。したがって、第１の課題は、裏蓋方式の額縁と横入れ方式の額縁の両者を作成できる具体的な作成方法を提案し、額縁の構造を明らかにする事と言い換えることができる。【０００７】  第２の課題は、額縁を室内の壁に飾る壁掛け作業そのものを簡単化する事であり、具体的には、飾るときの壁面に対する額縁の位置を自由に選べるようにすることと、飾った後の額縁が適度に固定され安定した状態が得られるような工夫を具体化する事である。また、この課題を解決するにあたっては、額縁本体への造作面だけでなく、現代の一般住宅の室内の壁面が板張りや石膏ボードにより出来ており、その表面に塗装したり布クロスを張ったりして仕上がっている事情から、壁掛けの際、この壁面をあまり傷つけない方法が必要と考えられる。なお、横入れ方式の額縁においては、壁掛け作業後の額縁が、適度に固定された状態を維持できれば、写真などの入れ替え作業は、額縁を壁から取り外すことなく可能になる。これによって、額縁の作成にあたり、横入れ方式を採用することの実用性がより一層大きいものになる。【０００８】  第３の課題は、壁掛け作業において額縁の水平をとり易くして作業の円滑化を図ることである。特に、横入れ方式の額縁においては、水平が一定の範囲で保たれていないと規格用紙がずれ落ちる可能性がある。このため、やり直しの必要のない水平のとり方は、横入れ方式の実用性を担保し、壁掛け作業を円滑にする点において、特に重要な役割を果たすことになる。【０００９】第４の課題は、状況に応じて額縁そのものの趣を変えることができるようにすることであるが、これによって額縁を飾る室内のインテリアの特性に額縁を合わせたり、額縁に飾る作品の内容に合うように額縁の趣を変えてみたりすることができ、ユーザーの額縁���用による効用を高めることにつながる。このことは、額縁を、インテリアを構成する重要な要素としてみる場合、横入れ方式の額縁に限らず裏蓋方式の額縁においても重要なことである。【００１０】  第５の課題は、額縁が室内のインテリアを構成する要素としてみた場合、正面から入れ替えできる額縁（以下、この額縁を「正面入れ替え方式の額縁」と呼称する。）は、ユーザーの効用を最大化できるので、図１に示すように、絵などの入れ替えの方向は３通りありこの存在を明らかにすることである。【００１１】第６の課題は、正面入れ替え方式の額縁における特性を、インテリアの面から生かす方法を提示することである。この額縁は、使用上、裏面や側面を考慮する必要がないので壁面の中で作成することができると考えられ、いわゆる壁面埋め込みが可能と考えられる。重ね貼り合わせの額縁を壁面に埋め込む方法を明らかにすることである。【００１２】第７の課題は、この壁面への額縁の埋め込みを軽易なものとし、ユーザーの日常において壁掛け作業同様に可能なものにすることである。このため、重ね貼り合わせによる正面入れ替え方式の額縁の構造を利用した具体策を提案することである。
【課題を解決するための手段】
【００１３】  額縁本体の軽量化は、先の課題を解決するための前提でもあり、乾燥した木材や軽量の合成樹脂材などを使用し、本体の体積をできるだけ小さくすることによって実現できる。また、額縁に収めて飾る写真などの印刷物を保護するためには、比重の大きい透明ガラスの使用を廃し、透明フィルムなどを使う事により額縁全体の重さは、それだけ軽くできるが、写真などの印刷物を保護することより、透明保護板による光の反射をなくした方が額縁の機能向上につながるので、透明保護板の使用は、必要条件ではない。第１の課題は、裏蓋方式の額縁と横入れ方式の額縁（以下、「これを２方式の額縁」と総称する。）を作成できる具体的な方法を提案し、額縁の構造を明らかにする事である。この際の作成方法は、それぞれの方式に特有の部分および共通の部分を明確に把握できることが必要である。これを解決するための手段として用いる方法は、複数の薄い板をそれぞれ必要に応じ、個別に特定の部分を切り取りまたは切り抜き除外した後、これらの板を一定の方法で重ねて貼り合わせることにより、二つの方式の額縁を作成する方法である。この方法は、使用する各板の形と寸法および重ね方に一定の制約を付して、各板の切り抜き加工により生ずる空間および加工後の板を、貼り合わせることにより連結させて、そのとき形成される複数の板の層を横入れ方式の額縁の躯体とし、その中に必要な機能を担う部分と躯体および装置となる空間を作る方法であり、重ねて貼り合わす平面における切抜きの形により意図する空間の大きさや形を変えることができる。使用する各板は、図２に示すように高さＤが明らかに厚さとして把握できる直方体であり、Ｄで表されるそれぞれの板の厚さは同じである必要はないが、寸法Ｌと寸法Ｈで表わされる平面の形は各板とも同じものを使用する。【００１４】この板は、最初に図２のような板を３枚用意する必要があり、各板の平面図は３枚とも同一の長方形であり、横の長さＬ、縦の長さＨであり、板の厚さＤのみがそれぞれ異なる。これらの板のそれぞれを元板と呼ぶことにする。１枚目の元板は、必要に応じて平面図におけるこの板特有の部分を切り抜き除外する加工を行い、貼り合わせ後形成される３層のうち、最も下に位置し、重ね貼り合わせの際の基礎になり、できあがった額縁においては、その裏面を構成するものである。この板を底板と呼ぶことにする。したがって底板の元板は、あらかじめ、底板が必要とする厚さのものを用意する必要がある。２枚目の元板も必要に応じ、平面図におけるこの板特有の部分を切り抜きまたは切り取り除外する加工を行い、貼り合わせ後形成される３層のうち、中層に位置し、できあがった額縁においては、正面から見えない部分を構成するもので、底板とともに重ね貼り合わせの際の基準のひとつになる。この板を中板と呼ぶことにする。したがって中板の元板は、あらかじめ、中板が必要とする厚さのものを用意する必要がある。３枚目の元板は、必要に応じて平面図におけるこの板特有の部分を切り抜き除外する加工を行い、貼り合わせ後形成される３層のうち、最も上の層に位置し、できあがった額縁においては、その正面を構成するものであり、額縁の顔でもある。この板を縁板と呼ぶことにする。したがっ���縁板の元板は、あらかじめ、縁板が必要とする厚さのものを用意する必要がある。【００１５】  切り抜き及び切り取りの加工は、図２におけるＬとＨで表される平面のうち一定の部分を切り抜くがその際の切り込みは、その平面に対して常に直角に行なう。また重ねて貼り合わせる際は、各板を厚さＤの方向で重ねて、かつ、お互いに外側にはみ出さないように側面を整えるが、その順序はできあがりの額縁において常に、下から底板、中板、縁板の順となるように、重ねて貼り合わせる。したがって、この３枚に付けた呼称は、単なる名称ではなく、貼り合わせによって形成される各板の層の順序を意味するものである。しかし、貼り合わせの作業の順序を制約するものではない。また、貼り合わせの作業においては、図３に示すように平面の直角を垂直方向にかたどったものを使用し、これを直角台と呼ぶことにする。以下の説明においては、各元板を用意し、各板の切り抜き加工の仕方を中心に説明するが、「平面図」は「図３で表される板を厚さＤの方向で上方向からで投影したもの」であり、「平面図上」とは、「各板や組み込まれた部品をそのまま直角台に重ね合わせて、その上方向からひとつの平面に投影してみた場合」の意味で使用している。この方法を説明上、単に「貼り合わせ」と呼ぶことにする。【００１６】  最初に、重ね貼り合わせにより額縁の基礎的部分のみを持った普遍的な額縁を作る。これによって２方式の額縁に共通の部分が明確になる。各元板を用意する。図５は、この中板を作成するためその元板に施す加工を平面図として表したものであるが、図の斜線部分Ｅ２部分は、できあがりの額縁において収納を予定する写真や絵などの印刷用紙（以下、これを「規格用紙」と呼称する。）を横長の状態で投影したものであり、Ｅ２は、長方形であり、その寸法は、規格用紙の寸法と同じであり、横の長さをＰｌ，縦の長さをＰｈとする。元板の平面図において、この位置を決めるには、元板の４辺から中板の縁幅Ｂｗの値を測って決める。この長方形Ｅ２を切りぬき除外して、ロの字型の板に加工する。したがって、平面図上、元板の寸法をきめるには、あらかじめ、規格用紙の寸法を把握するとともに中板の縁幅を決める必要がある。この板が、普遍的額縁を作成するための中板になる。【００１７】  図６は、この縁板を作成するためその元板に施す加工を平面図として表したものであるが、図の斜線部分Ｅ３部分は、平面図における元板の４辺からＦｗの値を測って決めるが、距離Ｆｗは縁板の縁幅となるものであり、中板の縁幅よりも少しだけ大きくとる必要がある。縁板の縁幅の長さのうち、中板の縁幅より大きい部分をｄ３とすると縁板の縁幅Ｆｗは中板の幅Ｂｗにｄ３を加えたもので表されることになる。直角台を使用して、中板の長方形Ｅ２を縁板の元板に投影し、この各辺から中心方向にｄ３をとってＥ３を決めることもできる。この長方形Ｅ３を切り抜き除外して、この板も、ロの字型の板に加工する。この板が、普遍的額縁を作成するための縁板となる。普遍的額縁の作成においては、底板は、加工する必要がないので、この底板は、図４で表わすように元板のままである。この３枚を直角台に、底板、中板、縁板の順で重ねて各板の側面を整え、接着剤を用いて貼り合���せるが、このとき、飾る規格用紙も中に収める必要がある。これで普遍的額縁ができあがり、規格用紙の入れ替えは不可能である。【００１８】  この額縁において、縁板に作られた窓により規格用紙の内容を鑑賞できるが、この窓を説明上、「画面窓」と呼ぶことにする。底板と縁板の間には、中板の厚さを伴った直方体の空間ができており、この空間に規格用紙が収まっており、その枚数は中板の厚さにより制約されている。この空間を「用紙収納スペース」と呼ぶことにする。中板の作成においてＥ２を切り抜くことにより形成されたものである。また、これに収まった規格用紙の端々は縁板の一定の部分により軽く押さえられ、額縁の外に落ちないようになっている。縁板のこの部分を、説明上、「押さえ縁」と呼ぶことにし、平面図上、その縁幅は、ｄ３で表わされることになり、説明上、これを「押さえ幅」とよぶことにする。図１における空間に相当するものが用紙収納スペースであり、斜線のマスクに相当するのが、押さえ縁であり、その内側の窓に相当するのが画面窓である。したがって、画面窓、用紙収納スペース、押さえ縁が、２方式の共通部分であると考えられ、２方式の額縁の作成においては、中板の作成における長方形Ｅ２と縁板の作成における長方形Ｅ３は、必ず必要な切り抜き部分であり、縁板の作成については、入れ替え方式の違いにより、これと異なる加工をする余地がないので、２方式の額縁作成において、その元板に同じ加工をすることにより、縁板として使用できることになる。【００１９】  重ね貼り合わせによる裏蓋方式の額縁を作るには、２方式に共通の部分である画面窓、押さえ縁、用紙収納板を内包させ、これに、裏蓋方式に特有の部分を連結する必要がある。この方式の特有の部分としては、規格用紙を額縁の裏面から入れ替えするための入り口が必要であり、また、裏蓋が収まる空間が必要である。この２つの部分は、貼り合わせによって、裏面の方向から用紙収納スペースに連結されるべきものと考えられるので、これを貼り合わせによって形成される３層のうち、底板の層に作ることにより、裏蓋方式の額縁となる。したがって、中板と縁板の作成においては、２方式に共通の部分を作るためにその元板を加工し、底板の作成においては、特有の部分を形成するための加工をその元板に施すことになる。先の普遍的額縁と同じ寸法の各元板を用意し、額縁を作るものとする。【００２０】  用紙の入り口は、用紙収納スペースの裏面であり、裏蓋をはめ込むことにより覆われるので、底板の作成において特に意識する必要はなく、裏蓋のはめ込み口が重要である。平面図上、この寸法は、規格用紙と同じものでも裏蓋の機能を果たすが、規格用紙の寸法より少しだけ大きくとり、用紙を入れ替え易くするとともに、裏蓋のはめ込み時に、裏蓋を安定させて据え付ける必要がある。図７は、この底板を作成するためその元板に施す加工を平面図として表したものであるが、図の斜線部分Ｅ１は、平面図における元板の４辺からＣｗの値を測って決めるが、距離Ｃｗは底板の縁幅となるものであり、中板の縁幅よりも少しだけ小さくしてとる必要がある。底板の縁幅より大きい中板の縁幅の部分をｄ１とすると、底板の縁幅Ｃｗは中板の幅Ｂｗからｄ１を差し引いたもので���されることになる。長方形Ｅ１は、直角台を使用し、中板のＥ２を投影し、その外側に向かってｄ１を測って決めることもできる。この長方形Ｅ１を元板から切り抜き除外して、この板も、ロの字型の板に加工する。【００２１】  この切抜きによってできる空間は、重ね貼り合わせによって、用紙収納スペースと連結し、規格用紙を入れ替えするための入り口となり、裏蓋のはめ込み口ともなり、切り抜いた長方形Ｅ１部分の板は、裏蓋として使用することができる。また、平面図上、底板の幅より、ｄ１だけ大きい中板の部分は、できあがりの額縁において、はめ込まれた裏蓋が用紙収納スペースを圧迫しないように躯体の内側から裏蓋の端々を押さえ、これをとどめる役割を果たし、裏蓋を安定させる。この中板の部分を「裏蓋とどめ」と呼ぶことにし、ｄ１を「とどめ幅」と呼ぶことにする。したがって、裏蓋方式の額縁は、図７で示す底板、図５で示す中板、図６で示す縁板を、直角台を使用して重ね貼り合わせて作成される。【００２２】  裏蓋方式の額縁の本体の構造は、図８の平面図と、この図のＹ１−１Ｙ部分の断面を表わした立面図が図９、図８のＸ１−Ｘ１部分の断面をあらわした側面図が図１０で表わされている。Ｗは画面窓であり、図９と図１０において点線で表わす部分には、裏蓋が収まる。図８の平面図においては、最も下の第１層を構成する底板と規格用紙の入れ替え口を兼ねる裏蓋はめ込み口、第２層を構成する中板と用紙収納スペース、第３層を構成する縁板と画面窓の位置関係が明示されており、図９、図１０断面図においては、用紙収納スペースを取り囲む各層の部分が把握され、底板の層に設けられた裏蓋はめ込み口から入れられた規格用紙は、縁板の層の押さえ縁によって、額縁の外にはみださないようになっており、この後、裏蓋をはめ込んだとき、裏蓋とどめによって裏蓋が必要以上に用紙収納スペースを圧迫しないようになっている。この構造は、底板、中板、縁板の３枚を、図８の平面図における位置関係を保って貼り合わせることにより形成される。このようにして作られた額縁を「貼り合わせの裏蓋方式の額縁」と呼ぶことにする。【００２３】  横入れ方式の額縁を重ね貼り合わせによって作るには、２方式の共通部分である画面窓、押さえ縁、用紙収納スペースを内包させ、これに、横入れ方式特有の部分を連結する必要がある。この方式の特有の部分としては、規格用紙を額縁の側面から入れ替えするための入り口が必要であり、用紙収納スペースと同様に貼り合わせによって作成可能な空間であり、しかもこれに連結させる必要がある。貼り合わせによって形成される３層のうち、中板の層にこの入り口を作ることにより、底板の層の裏蓋を廃することが可能となり、底板の層は、元板のままである。したがって、縁板の作成においては、これを共通の部分としてその元板を加工し、中板の作成においては、共通部分としての用紙収納スペース作成のための加工と特有の部分を形成するための加工を、その元板に同時に施すことになる。各元板を準備し、先の普遍的額縁と同じ寸法の額縁を作るものとする。【００２４】  用紙収納スペースは、２方式の作成における共通部分であり、貼り合わせによって形成される３層のうち中板の層にできる空間であり、中板��元板の加工に際して、図５の長方形Ｅ２を切り抜くことによって形成される。中板の層において、これに連結した入れ替えのための入り口を作るには、図５において、長方形Ｅ２の各辺のひとつを選択し、これと中板の縁幅からなる長方形の部分を切り抜き部分に含めればよい。図１１は、横入れ方式における中板を作成するため、その元板に施す加工を平面図としてあらわしたものであるが、図において斜線部は、切取り部分であり、長方形Ｅ２と長方形Ｒからなる。長方形Ｅ２は、できあがりの額縁において用紙収納スペースを作るために、平面図における中板の元板の各辺から中板の縁幅Ｂｗの値をとって決める。長方形Ｒは、長方形Ｅ２の右辺を中板の元板の右辺までＢｗにわたり平行移動させたときの軌跡である。この二つの長方形を切り取ると逆コの字型の中板ができる。底板の元板は、加工しない。【００２５】  できあがりの額縁においては、長方形Ｅ２による空間は、用紙収納スペースを形成し、長方形Ｒによる空間は、中板の層において用紙収納スペースに連結し、右側面まで連なっており、この空間を「用紙移動スペース」と呼ぶことにする。また、額縁の右側面には、細長い長方形の隙間ができており、その厚さは、中板の厚さであり、長さは、規格用紙の縦幅である。この隙間を「用紙差し込み口」と呼ぶことにする。用紙移動スペースと用紙差し込み口は、中板の作成において、長方形Ｒを切り取ることにより形成される。また、この副次的効果として、横入れ方式の額縁においては、用紙収納スペースに複数枚の規格用紙を収納し、これを差し替え利用できることがひとつの特色になる。したがって、横入れ方式の額縁を作成するには、図４で示す底板、図１１で示す中板、図６で示す縁板を、直角台を使用して、重ね貼り合わせることになる。この額縁においては、規格用紙の入れ替えが、側面の用紙差し込み口からスライド挿入することになるので、裏蓋方式のような手間がかからない。【００２６】  この貼り合わせの状況を示すのが図１２であり、Ｃで示す板が底板、Ｂが中板、Ｆが縁板である。なお、点線は貼り合わせた時、平面図上、一致すべき部分の対応を表している。また、この貼り合わせの工程において、底板に中板を貼り合わせた段階のみを見ると図１３に示すように、用紙収納および移動スペースが組み込まれた２層構造の新しい板ができており、厚さは中板の分だけ厚くなっている。図に示すＰｈは、できあがりの額縁において規格用紙を横長に収納する事を予定した場合の用紙の縦幅である。この構造を持つ板を説明上、「用紙収納板」と呼ぶことにする。なお、貼り合わせの作成法による額縁においては、裏蓋方式、横入れ方式を問わず、収納枚数の調節は、中板の厚さの部分によって行われることになるので、この厚さは、あらかじめ、収納する規格用紙の厚さと枚数を考慮してその元板の厚さにより決める必要がある。【００２７】    図１４は、このようにしてできあがった横入れ方式の額縁の平面図であり、この図におけるＹ１−Ｙ１部分の断面図が図１５であり、Ｘ１−Ｘ１部分の断面図が図１６であり、Ｘ２−Ｘ２部分の断面図が図１７である。図１４の平面図においては、最も下の第１層を構成する底板、第２層を構成する中板と用紙収納スペースおよび移動スペース、第３層を構成する縁板と画面窓の位置関係が明示されており、図１５、図１６、図１７の断面図においては、用紙収納スペースと移動スペースを取り囲むが連なる各層の部分が把握され、本体右側面に設けられた用紙差し込み口から規格用紙をスライド挿入する時、用紙を誘導する用紙移動スペースが形成され、かつ、用紙の４辺の端々を押さえるための押さえ縁が形成されている事が明示される。この構造は、底板、中板、縁板の３枚を、図１４の平面図における位置関係を保って貼り合わせることにより形成される。このようにして作られた額縁を「貼り合わせの横入れ方式の額縁」と呼ぶことにする。なお、各板の平面図における位置関係を、裏蓋方式においては図８、横入れ方式においては図１４のように保つことができれば、平面図における元板の形を円形、多角形その他の形にして外見の異なる額縁を作ることができる。【００２８】  第２の課題は、額縁の位置選択の自由度を高めることと本体の適度な固定による安定性を確保することであるが、その手段として、一般的な画鋲の形をした平頭ピンを、壁掛け作業の際、ピンの足を壁面に向け、しかもピンの頭部が額縁の表面に出ない状態で、本体側面または背面から、組み込んだり抜き取ったりできる空間を額縁の躯体の中に設けることを提案するものである。この空間には、ピンの組み込み口とピンがスライドできる空間が必要である。図１８は、これに壁掛け作業時に平頭ピンを組み込んだ状態を額縁の側面から見た説明図であるが、図の上下に横Ｔ字型で示す部分が平頭ピンであり、縦に細長い長方形は額縁の躯体部分を側面から見たものであり、ピン足の方向に室内の壁面がある。ユーザーが壁掛け作業をする際は、この状態で額縁ごと壁に押して掛け、取り外す時は、額縁ごと壁から引き抜くことになり、「掛ける」というよりも「貼る」作業に近いが、説明上、これを「壁掛け作業」と表現することにする。額縁を保存する時は、組み込まれていた平頭ピンを逆にスライドさせて抜き取る。このように、平頭ピンをスライドさせて組み込んだり抜き取ったりできる空間をピンソケットと呼ぶことにする。また額縁の側面からピンを組み込むピンソケットを「側面式ピンソケット」、額縁の裏面から組み込むソケットを「背面式ピンソケット」と呼ぶことにする。できあがったピンソケットにピンを組み入れスライドさせた時、ピンはその形を保ったまま、額縁の躯体の中および本体外部を緩みなく移動し、組み込まれる必要がある。【００２９】  重ね貼り合わせ法による額縁の作成において、このピンソケットを作るには図１９のように、重ね貼り合わせによって形成される板の層のうち、ピン平頭部が中板の層に位置し、ピン足の部分が、底板の層と外部を占めればよいことに着目し、これらの板に貼り合わせの前に加工を施すことになる。図１９においては、斜線部分が平頭ピンを表している。ピンソケットの作成は、額縁の作成の工程と同時並行的に行う必要があり、この加工は中板の作成後、これに追加し、底板の作成後これに追加して行う。中板の厚さとピン平頭部の厚さは一致している必要があり、また、ピン足の長さのうち、底板の厚さによって壁に刺さらない部分があるので、ピン足の長さは、これより、長いものが必��になる。縁板はピンの頭を押さえ、手で額縁を押したときその力を間接的にピンに伝える。このため、ピンソケット付の額縁を作成するためには、あらかじめ、必要な平頭ピン、各板の元板を用意して額縁の作成に取りかかる必要があり、また、裏蓋や横入れの方式の違いにかかわらず作成することができる。【００３０】  したがって、ピンソケットを設ける場合は、あらかじめ、使用する平頭ピンの寸法を把握する必要がある。図２０はピンソケットに使う丸型平頭ピンの側面図であるが、平頭部の厚さｆと中板の厚さが同じである必要があり、ピン足の長さをｔとすると、そのうち底板の厚さに相当する部分がｔ１の部分であり、壁に刺さる部分がｔ２の部分となるので、採用するピンの種類を決めるには、底板と中板の厚さを考慮して決める必要があるが、市販されているピンの種類が少ないので、これに、各元板の厚さをあわせる。小型の額縁の作成においては、市販されている丸型平頭画鋲の中でピン足の長いものを使用できるが、作成する額縁が大きくなるにしたがって、専用の平頭ピンを作る必要がある。このような各板の元板と平頭ピンまたは画鋲を準備してピンソケット付の額縁の作成に取りかかる。【００３１】  図２１は、側面式のピンソケットを設ける通常の配置を横入れ方式の額縁作成における中板の平面図において、額縁の縦掛け使用と横掛け使用を区別して表したものであり、この図の番号３のピンソケットを作る場合を例に説明することにするが、通常、横掛け用に番号１から４まで、縦掛けように番号５から８までを作る。底板、中板、縁板は、作成してあるものとする。側面式のソケットは、ピンのスライド開始位置が額縁側面の外部となっているので、このための加工を必要としないが、図２２は、側面式のピンソケットを設ける部分とピンのスライド開始位置を平面図として表したものであるが、この図において、平面図上、ピンの組み込み口は、４つの点ｈｉａｂで表わされる点線の正方形の部分であり、円は平頭ピンのスライド開始位置であると考えることができる。斜線部分の長方形Ｓ２を中板から切り取り除外する。【００３２】  長方形Ｓ２における辺ａｃの長さは、Ｓ２切り取り後、その部分に、実際にピン平頭部を置いてみたとき、平面図上、ピン平頭部が長方形で表される元板の内側に収まる長さが必要であり、図２０におけるピン平頭部の直径２ｒに一定の値ｋを加えたものとして把握できる。また、辺ａｂの長さは、同様にして、ピン平頭部の直径２ｒで表される。点ｍは、辺ａｂの中点である。この長方形Ｓ２を切り取ることにより、できあがりのピンソケットにピンを組み入れた時、ピンの平頭部がスライドして移動できる空間を中板の層に作ることができる。長方形Ｓ２の位置は、平面図において、図２２のように中板の辺に接した状態で用紙収納スペースに支障の内容に決める必要がある。側面式のピンソケットは、横掛け用に２個以上、縦掛け用に２個以上必要であり、額縁の大きさとピンのスライド方向を考慮して、中板に加工する位置を決める。【００３３】  次に底板に側面式ソケットを作るための加工をするが、このためには、底板に図２２における長方形Ｓ２を投影する必要があり、直角台を使用し、底板に追加加工後の中板を重ね合わせて切り取り後の長方形Ｓ２部分をそのまま写し取る。この作業は、中板と底板に平面図上の基準点を設定して個別に作図することもできる。これを基に、底板の平面図において辺ａｂの中点ｍを決め、底板に追加加工を行なう。図２３は、ピンソケットを設ける部分の底板の平面図であるが、底板から斜線部分Ｓ１を切り取り除外するための切り込みを入れる。この切り込みは、幅を伴った細長い長方形で表されているが、実際の作業は、刃の厚さが、図２０におけるピン足の太さｅと同じ鋸を使用するので、説明の単純化のため、長方形Ｓ１を直線として扱い、図のように点ｍおよび点ｎで示しており、「線分ｍｎ」は、その両端部分の位置関係を表わしている。【００３４】  また、この切り込みは、底板の平面図において、点ｍから、その部分の辺ａｂに対して直角に、線分ｍｎの長さに入れる必要があり、その長さは、図２２における辺ａｃの長さから図２０におけるピン平頭部の半径ｒを差し引いたものであり、半径ｒに一定の値ｋを加えたものとして把握できる。底板にこのような加工を行なうのは、できあがりのソケットに平頭ピンを組み込み、スライドさせた時、ピン足のうち図２０におけるｔ１の部分がスライドする空間を作るためである。このような加工を平面図上、中板に施した切り取りと同じ位置に行い、また、縁板は加工しない。側面式ピンソケット付の額縁は、底板、中板、縁板の３枚を、額縁を作るものとして、直角台を用いて、重ねて貼り合わせることにより作成され、ピンソケットを作るための貼り合わせの工程を新たに設ける必要はない。【００３５】  側面式ピンソケットの構造は、図２４、図２５、図２６、図２７において示されるが、図２４は、できあがりの額縁において、ソケットの部分を平面図として示したものであるが、この図においてＹ１−Ｙ１部分の断面を立面から見たものが図２５であり、Ｘ１−Ｘ１部分の断面を側面から見たものが図２６であり、Ｘ２−Ｘ２部分の断面を側面から見たものが図２７であり、側面から平頭ピンを入れ、スライド移動させると、ピンの平頭部は中板に、ピンの足は底板に、同時に接して止まる。これは、平面図上、中板における線分ａｃが、底板の線分ｍｎよりピン平頭部の半径ｒの分だけ長いためであるが、実施においては、この二つの長さは同じでも、壁掛け作業時のピンのぐらつきを防ぐ力は低下するが、ピンソケットとしての機能は保つことができる。【００３６】  つぎに、背面式のピンソケットつきの額縁を作る。背面式のピンソケットを設ける通常の配置は、各ソケットの方向と縦掛け使用、横掛け使用の区別は、図２１に準じて考えることができるが、位置のみが異なり、平面図上、この図の位置からスライド方向で図の中心方向に少し移動した位置になる。この図の番号３の付近に位置する背面式のピンソケットの作成を例に説明することにする。底板、中板、縁板は、作成してあるものとする。背面式ピンソケットの場合は、できあがりの額縁においてピン組み込み口に連結するスライド開始位置を確保するための空間を中板の層に作る必要がある。この開始位置は、平面図上、図２２の位置関係で、中板の層に作られる。したがって、背面式のピンソケットを作成するための中板の加工は、平面図上、図２２において４つの点で表わされる長方形ｈｉｃｄと同じものになる。【００３７】  これが図２９における斜線部分Ｔ１とＴ２であり、これを切り抜き除外する。長方形Ｔ２は、平面図上、図２２の長方形Ｓ２を各辺と中板の元板の各辺の平行関係を保って中板の内側方向に平行移動させて書き写したものであり、正方形Ｔ１は、正方形ｈｉａｂと同じものである。また、長方形Ｔ２における辺ａｃの長さは、側面式の場合と同様に、図２０におけるピン平頭部の直径２ｒに一定の値ｋを加えたものとして把握できる。また、正方形Ｔ１の各辺の長さは、辺ａｂの長さであり、同様にして、ピン平頭部の直径２ｒで表される。点ｍは、辺ａｂの中点である。【００３８】  背面式のソケットには、額縁の裏面からピンを組み入れるための組み入れ口が必要となるが、これは、平面図上、ピンの移動開始位置と一致すべきものであり、底板はこのために加工し、その位置は中板の加工位置にあわせる。図３０は、背面式のピンソケットを作るための底板の加工を平面図として部分的に示したものであるが、Ｔ１−１で表される斜線部分は、平面図上、図２９のＴ１を投影したものであり、この作業は、直角台を使用し、底板に切抜き加工後の中板を重ね合わせてＴ１とＴ２の切り抜き部分を投写して行なう。この作業は、底板と中板に基準点を設けて行ってもよい。その後これを切り抜くことにより、できあがりのソケットにおいて額縁の背面からピンを組み込むための入り口ができる。【００３９】  図３０における点ｍは、正方形Ｔ１−１の辺ａｂの中点であり、側面式の作成と同様に、線分ｍｎで表わされる細長い長方形Ｔ２−１は辺ａｂに対して直角であり、これに刃の厚さが、図２０におけるピン足の太さｅの鋸で切り込みを入れるが、これによってできあがりのソケットにおいてピン足の部分がスライド切る空間ができる。その長さは、側面式の場合と同様にピン平頭部の半径ｒに一定の値ｋを加えたものとして把握できる。中板、底板にこのような加工を施した後、直角台を使用し、額縁をつくるものとして各板を重ねて貼り合わせることにより、背面式のピンソケット付きの額縁ができる。【００４０】  背面式ピンソケットの構造は、図３１、図３２、図３３図３４、図３５において示されるが、図３１は、できあがりの額縁において、その部分を平面図として示したものであるが、この図においてＹ１−Ｙ１部分の断面を立面から見たものが図３２であり、Ｘ１−Ｘ１部分の断面を側面から見たものが図３３であり、Ｘ２−Ｘ２部分の断面を側面から見たものが図３３であり、Ｘ２−Ｘ２部分の断面を側面から見たものが図３４であり、Ｘ３−Ｘ３部分の断面を側面から見たものが図３５である。背面式のソケットは、側面式のソケットに一定の部分を連結させたものであり、中板の層においては図２９においてはＴ１で示され、底板の層においては、図３０においてＴ１−１で示される。平面図上この二つの部分は、位置、寸法とも一致するもので、ピンが組み入れられ、スライドを開始できる位置である。ピンの組み込み状況については、裏面から組み入れること以外は、側面式のソケットと同じである。背面式ソケットも、横掛け用として２個以上、縦掛け用として２個以上作成する。【００４１】  つぎに、背面式ピンソケット��作成においては、横掛け用と縦掛け用のピン組み込み口を兼用し、連結型のピンソケットを作ることも有効である。このソケットを「Ｌ字型のピンソケット」と呼ぶことにする。図２８は、この場合の配置を平面図上、用紙収納板の上に示したものであるが、この図の番号１から４のように、４個の作成で済み、この図の番号３のソケット作成を例に説明することにする。Ｌ字型のピンソケット付の額縁を作成するには、ピンが縦横２方向にスライドできるように中板と底板に加工を施す必要がある。底板と中板は作成してあるものとする。【００４２】  図２９の斜線部分は、縦横が分離した形の背面式のソケットを設ける部分の中板の加工を表したものであるが、この図のＴ１とＴ２をＬ字型のソケットの作成位置を考慮し、Ｌ字型のピンソケット作成のための中板にそのまま書き写して、これに長方形Ｔ３を図のように追加し、中板からＴ１、Ｔ２、Ｔ３からなるＬ字型の部分を切り抜き除外する。長方形Ｔ３は、正方形Ｔ１の対角線ｈｂを中心線として、長方形Ｔ２を１８０度反転させたものであり、この部分が追加的に切り抜かれることにより、できあがりの額縁において、額縁の縦掛け使用の際ピン平頭部がスライドできる空間ができる。Ｔ２部分の切り抜きは、横掛け用のスライドを保つためのものであり、Ｔ１部分の切抜きが縦掛け用と横掛け用の開始位置を兼ねるためのものである。このような切抜きを縦掛け横掛けの際の位置とピンのスライド方向を考慮して必要な位置に作る。【００４３】  Ｌ字型のピンソケットを作成するための底板を作成するためには、まず直角台を使用し、Ｌ字型のピンソケット作成のため加工した中板を底板に重ねて、その切り抜き部分を投影して、図２９におけるＴ１、Ｔ２、Ｔ３の部分を作図する。底板のＴ１部分をＴ１−１とし、単なる背面式の場合と同様に線分ｍｎをとり、これをＴ２−１とする。そしてこれを、正方形Ｔ１−１の対角線ｈｂを中心線として１８０度反転させて線分ｐｑをとり、Ｔ３−１とする。図３０は、これを表したもので、Ｌ字型のピンソケットを作成するための底板は、Ｔ１−１とＴ２−１に加え、Ｔ３−１の部分を切り抜き除外して作成する。【００４４】  線分ｍｎと線分ｐｑの長さは同じであり、図２９における辺ａｃの長さから図２０におけるピン平頭部の半径ｒを差し引いたものとし、半径ｒに一定の値ｋを加えたものとして把握できる。なお線分ｍｎは、側面式の場合と同様の理由により細長い長方形Ｔ２−１を表わしている。底板から正方形Ｔ１−１を切り抜いた後、Ｔ２−１とＴ３−１の部分を切り取り除外するための切り込みを入れる。この際に使用する鋸の刃の厚さは、図２０のピン足の太さｅと同じである必要がある。できあがりの額縁において、底板からＴ１−１の部分を切り抜くことにより，ピンの組み込み口ができることになりＴ２−１，Ｔ３−１の部分を切り抜き除外することによりピン足が縦横に移動できる空間ができることになる。このような加工を平面図上、中板の加工箇所に合わせて作る。中板と底板をこのように加工した後、額縁を作るものとして各板を貼り合わせると横掛け用と縦掛け用のソケットが連結したＬ字型のピンソケット付きの額縁ができる。【００４５】  なお、どのようなピンソケットも、底板、中板、縁板の３枚を使用する貼り合わせの額縁の作成においては、平面図上、画面窓のように板の３層を形成しない部分には、作成することができないという配置上の制約がある。この点を克服するために、Ｌ字型のピンソケットを採用することが、が有効であり、また、ソケット作成に必要な３層をひとつのまとまりのあるものとして扱う必要があり、底板と中板の元板を各１枚追加使用する。底板の元板は加工しないで使用し、これを底板の添板と呼ぶことし、中板の元板には中板にするための加工をしないでソケットを作るための加工のみをするが、この加工後の板を「底板の後板」と呼ぶことにする。本来の中板はソケット作成のための加工をしない。貼り合わせの工程においては、最も下から底板、後板、添板、中板、縁板の順で重ねて貼り合わせる。このようにすると、Ｌ字型のソケットを図２８の番号５から８の位置に作成することができる。【００４６】  また、ピンソケットを設ける場合において、規格用紙の収納枚数を増やすために、中板の厚さを大きいものにするとできあがるソケットにおいて、ピン平頭部分が収まる部分に必要以上の空間ができ、壁掛け作業時にピンがぐらつくことになる。この状況を回避するためには、中板を追加し、その厚さ単位で収納枚数を増やす。追加した中板には、ソケットを作るための加工をしない。これを中板の後板と呼ぶことにする。貼り合わせの際は、下から底板、中板、中板の後板、縁板の順に重ねる。【００４７】  このピンソケット付の額縁においては、壁掛け作業それ自体が簡単化されることになり、室内の壁をあまり傷めないので飾る場所をより自由に選ぶことができることに加え、壁掛け作業後は額縁本体が適度に固定されるので、特に横入れ方式の額縁においては、写真などの入れ替え作業は、額縁を壁から取り外すことなく可能となり、その実用性が大きいものになる。【００４８】  第３の課題は、額縁の壁掛け作業においての水平をとり易くすることを具体化することであり、このためには小型の水平器が必要であり、第４の課題はインテリアや飾る写真にあわせて、額縁そのものの趣を変えることができるようにすることであり、このためには額縁の縁部分を直接に異なるデザインのカバーで覆う方法と、部分的にアクセサリーを付ける方法が考えられるが、課題解決の手段としては、後者を選択し、アクセサリーの付け替えにより解決を図る。このアクセサリーはその額縁に専用のもので、あらかじめ、いくつかのデザインが必要であり、ユーザーが自作することによっても使用できることが望ましいので、専用のアクセサリーの概形の寸法は一定である必要がある。そして小型の水平器のうち、専用アクセサリーの寸法と同じもの、あるいは、この専用アクセサリーの外形の一部として組み込めるものをアクセサリーのひとつとして把握し、第３の課題を第４の課題の解決手段により解決を試みる。【００４９】  その手段として、額縁の縁部分に専用アクセサリーを組み込める空間を設け、壁掛け作業を行うときは、これに、水平をとるための専用アクセサリーを組み込み、壁掛け作業を終えたときは、これを取り外し、額縁の趣に変化を与えるその他の専用アクセサリーを組み込むことができる空間を設けることを提案するもので���る。この空間は、縁幅の中央部分に作った一本の溝であり、その両端の内側において横に凹状の部分があり、この部分に、専用アクセサリーの両端に作られた凸状の爪部分を組み込み、専用アクセサリーを額縁に付ける。他の専用アクセサリーに付け替えることもできる。この空間をアクセサリーラックと呼ぶことにする。この専用アクセサリーに使用できる水平器やアクセサリーは、一般には調達できる保証はないので、あらかじめ、額縁の製作者が調達し、専用アクセサリーを作成しておく必要がある。【００５０】  図３６はアクセサリーラックを作った額縁の平面図であるが、Ｘは、縁板に現れるラックの部分の長さであり、専用アクセサリーの長さのうち額縁正面からみえる部分の長さでもある。縁板に現れるラック部分の位置は、額縁の平面図において左右対称になっており、その両端は、縁板の縁幅の中央部分に位置している。Ｂはラックの幅であり、平面図における専用アクセサリーの幅でもある。専用アクセサリーの外形は、図３７に平面図、図３８に立面図、図３９に側面図として示されている。これらの図において長さＡとＢで表される部分は細長い直方体であり、これがアクセサリー本体であり、この本体は、厚さがｆで、幅がＢ、長さがＡに４ｇを加えて表される基板の上に接着剤で固定されている。この基板の長さが専用アクセサリーの長さでもある。また両端の基板のみで構成される部分が額縁に組み込むときの爪部分になり、長さが２ｇであり、できあがりの額縁において図３８の左の爪をラックの左側に引っ掛けた後、スライド式のスイッチの要領でわずかに右に戻して組み込み、これを左に戻すと取り外すことができる。【００５１】  使用する水平器は、外形が直方体の小型なものでなければならず、図４０は、これを表したもので、水平気泡管はこの中に長さＬｓの方向で、透明アクリルの直方体の中に納まっており、図のように各辺の長さがＬｓとＢで表される４つの平面は、どの面を底にして据え置いても水平がとれるようになっている。このような水平器を図４１のようにアクセサリー本体の一部を構成するようにして、基板に固定し、水平を取るための専用アクセサリーを作っておき、水平を取る時ラックに組み込めるようにしておく。【００５２】  図３６のようなアクセサリーラックを重ね貼り合わせの作成法により額縁に作るには、貼り合わせの前に縁板と中板に加工を施すが、貼り合わせ後形成される３層のうち、中板の層には専用アクセサリーの基板が収まると同時に、縁板の層にはアクセサリー本体の部分が収まるように各板を切り抜き加工する。したがって図３８と図３９に示される爪部分の厚さｆは、中板の厚さと同じである必要がある。このラックを説明上、「基本アクセサリーラック」と呼ぶことにする。このラックは、裏蓋方式、横入れ方式を問わず作成できるものであるが、裏蓋方式の額縁に作るものとして説明する。【００５３】  図４２は、基本ラックを作るための縁板の加工部分を平面図として示したものであるが、斜線部分の細長い長方形Ｕ３を切り抜き除外する。Ｘは横の長さを表わし、図３６において設定した長さであり、縦の長さは、その幅であり、専用アクセサリーの幅Ｂと同じである。一般的には、Ｘの長さは、デザインなどを考慮し��意に決めることができるが、専用アクセサリーの長さとの関係でＡに２ｇを加えた長さに保つ必要がある。この２ｇはＡの値の大小にかかわらずこれに加える必要がある性質のものである。なお、２ｇは、長さｇの２倍を意味する。縁板をこのように切り抜くのは、各板の貼り合わせによりできたラックに専用アクセサリーを組み入れた時、アクセサリー本体の部分が縁板の層に収まり、額縁外部から見えるようにする窓を作るためであり、また、本体の部分がこの窓において、左右横方向に距離ｇだけスライドできるようにするようにするためである。なお、このスライドと同時に中板の層においては、アクセサリーの基板部分もスライドしている。【００５４】  図４３は、このラックを作るため中板に必要な加工をする部分を平面図として表したものだが、中板から切り抜く部分は、平面図上、Ｂで示される幅は長方形Ｕ３と同じだが、横の長さがこれよりも左右横方向に少しだけ長いものである。この図に示す斜線部分は切り抜き除外する部分であるが、直角台を使って、Ｕ３切り抜き後の縁板を中板に重ねて、中板にＵ３部分を投影したものに、その左端に長さ２ｇ、右端に長さｇを加えたもので、横の長さは、Ａに５ｇを加えた長さになり、縦の長さは、専用アクセサリーの幅Ｂと同じである。これを長方形Ｕ２とする。したがって、長方形Ｕ２に含まれる長方形Ｕ３の部分の位置は、平面図上、縁板の長方形Ｕ３の位置と一致しなければならない。【００５５】  中板をこのように加工するのは、各板の貼り合わせによりできたラックの左端に専用アクセサリーの基板を差し込む際に必要な空間を２ｇにわたって作り、その基板を右にスライドさせるに伴い、専用アクセサリーの基板部分が、ラックの右端に突き当たるまで、ｇの距離だけスライドできるようにするためである。なお、スライド幅ｇの値は、アクセサリー本体の横の長さの１００分の１程度を目安に、これを作る材質や硬度を考えて、適切に決める必要がある。縁板と中板をこのように切り抜き加工した後、直角台を使って、３枚の板の側面を合わせ、額縁を作るものとして貼り合わせると図３６のアクセサリーラック付きの額縁ができる。【００５６】  このようにしてできた基本ラックの構造は、次の３つの図でしめされる。図４４は、基本ラック付きの額縁のラック部分の平面図であり、図４５は、この図におけるＹ１−Ｙ１部分を立面から見た断面図であり、図４６はＸ１−Ｘ１部分を側面から見た断面図であり、点線で示す部分は、裏蓋の組み込み口である。アクセサリーラックに専用アクセサリーを組み込むには、最初の手順として、図４５に示されるラックの左側の横に凹状の部分に、専用アクセサリーの左端の爪部分を額縁外部から、できるだけ水平に差し込む。このときの差し込みの距離が２ｇである。差し込むときの専用アクセサリーの縁板に対する傾きを考慮すれば、左側の爪部分の爪先の底部は箱舟の舳先のように少し削った方がよいことになる。次の手順として、この状態を維持しながらアクセサリー本体と右の爪部分を含む基板を、平面図上、図４２の長方形Ｕ３で表されるアクセサリーの窓に据え置く。このとき、両端の爪部分を構成する基板は、形成されている３層のうち中板の層に位置し、左側の爪部分は、平面図��、ラック部分の縁板と長さ２ｇに渡り重なっており、縁板によって押さえられるとともに、アクササリー本体は縁板の層にあり、アクセサリー本体の高さを表わす寸法Ｂが縁板の厚さより大きい場合は、本体のこの部分が縁板の表面に露出している。最後の手順として、アクセサリー本体を押さえながら、専用アクセサリー全体を突き当たるところまで右方向にスライドさせる。この時のスライドする距離がｇであり、専用アクセサリーの右端の爪部分がラック右側の凹状の部分に組み込まれる。このスライドによって両端の爪部分が、平面図上、長さｇにわたり縁板と重なり、これによって押さえられる状態になる。このアクセサリーを取り外す時は、アクセサリー本体部分を押さえながら、左方向に突き当たるところまでスライドさせる。【００５７】  なお、ラックの両端に横に凹状の溝を持たないラックも作ることができる。これに組み込む専用アセサリーには基板が不要であり、アクセサリー本体のみが専用アクセサリーとなる。この場合、専用アクセサリー本体を直接組み入れ、水平をとるためのアクセサリーやその他のアクセサリーを付け替えて使用することになる。このようなアクセサリーラックを説明上、「単純アクセサリーラック」と呼ぶことにする。このラックを作成するには、基本ラックを作るための中板の切り抜きを示す図４３において、縁板から投影したＵ３の左端に２ｇ、右端にｇを加えないでＵ３のまま切り抜き、底板、中板、縁板の順で重ね貼り合わせると、ラックの両端に横に凹状の部分を持たないアクセサリーラックできる。このラックに使用する専用アクセサリーは、基板が不要であり、アクセサリー本体のみとなるので、横の長さは、図３７のＡとなり、ラックの幅はＢとする必要がある。このようなアクセサリーラックを説明上、「単純アクセサリーラック」と呼ぶことにする。【００５８】  図３６に示すアクセサリーラックをもうひとつ、額縁の上部縁部分に作ることができる。平面図上、その位置を上下対称に額縁の上部縁部分に作ったものを平面図として表わしたのが図４７である。この際の加工においては、アクセサリーラックの平面図上の位置のみが異なり、専用アクセサリーの寸法も含めてすべて同じであり、重ね貼り合わせの前に、基本ラックと同様に中板と縁板に必要な加工を行なう。このラックを説明上、「上下のラック」と呼ぶことにする。また、図４０の水平器のみをアクセサリー本体とする場合は、図４８のように縁板に現れるラックの長さＸｓは、水平器の長さＬｓに２ｇを加えたものであり、Ｂはアクセサリーの幅であると同時にラックの幅でもある。縁板は、Ｘｓの長さで切り抜き、中板は、縁板の切り抜き部分を投影し、その左端に２ｇ，右端にｇを加えたものを切り抜き、重ね貼り合わせる。また、アクセサリーの基板の長さは、Ｌｓに４ｇを加えたものとなり、その両端に長さ２ｇを残して水平器を固定して作る。このようなアクセサリーラックを「部分ラック」と呼ぶことにする。【００５９】  図４７のアクセサリーラックをさらに発展させて、額縁におけるもうひとつの縁部分として画面窓を取り囲むように、上下のラックに縦のラックを付け足し、連結させて作ることができる。図４９は、このできあがりの額縁を平面図として表わし��ものであり、「全部アクセサリーラック」と呼ぶことにする。この図においてＲＣ１，ＲＣ２、ＲＣ３，ＲＣ４は、図のようにラックの位置を示している。【００６０】  また、これに組み込む専用アクセサリーをこの順番でＡＣ１、ＡＣ２、ＡＣ３、ＡＣ４とする。この図において、上下縁部分の横のラックおよびその専用アクセサリーの寸法は図３６の基本ラック、図４７の上下のラック作成の場合とおなじであり、Ｘの長さもこれと同じである。Ｙの長さは、左右縁部分の縦の専用アクセサリーの長さのうち、額縁の正面から見える部分の長さでもあり、横のラックに付け足す縦のラックの長さのうち、縁板の層に現れる長さでもある。縦のラックは、また、額縁の平面図において左右対称の位置にあり、ラックの幅はＢである。【００６１】  ＸとＹの差をＺとすると縦の専用アクセサリーの本体の長さは、ＡからＺを引いたものであり、Ｙの長さはこれに２ｇを加えて表され、専用アクセサリーの基板の長さは、これに、さらに２ｇを加えたものになる。したがって、縦の専用アクセサリーを作るには、このような寸法の本体と基板を用意し、基板の両端に２ｇを残して、本体を貼り付け側面を整える。したがって縦のアクセサリーは、その両端の爪部分の構造寸法、横幅、縦幅ともに横の専用アクセサリーと同じ状態で長さのみが異なる。【００６２】  全部ラックを作成するには、図３６の上下縁部分に作ったラックを基礎として左右縁部分に縦のラックを付け足して作るが、上下のラック付きの額縁を作った後においては、付け足しのための各板の加工ができなくなるので、各板の加工の際あらかじめ、この付け足しの加工も同時に行なう必要がる。この場合、できあがりの額縁において、専用アクセサリーの本体の部分は縁板の層および外部に収まり、基板の部分は中板の層に収まるので、全部ラックを作るためには、縁板と中板に加工することになる。このラックも裏蓋方式の額縁に作るものとし、上下ラック付の額縁作成の場合と同じ、底板、中板、縁板を準備する。【００６３】  図４９は、全部ラックを作るための縁板の加工図としてみることもできる。この図において、ＲＣ１から４で表わされる枠状の部分をＶ３とし、これの外側の枠上の縁板をＦＯ，内側の枠状の縁板をＦＩとし、２段階の切り取り作業により、Ｖ３を切り抜き除外する。最初に、ＦＩを切り取り、直角台を使用して、中板の上に残りのＶ３とＦＯからなる枠状の縁板を重ねて、平面図上、Ｖ３の内側の形を長方形として中板に投影する。次にＶ３とＦＯからなる縁板からＶ３を切りとる。残った枠状の縁板ＦＯを中板に重ね、同様にＶ３の枠の外側の形を長方形として中板に投影する。このようにしてＶ３の位置と形を中板に投影しておく。縁板ＦＯとＦＩは貼り合わせの際に使用する。なお、Ｖ３の幅は、図４４の上下のラックと同じとする。このように切り抜くのは横のラックに縦のラックを付け足して連結した形で作るためであり、また次の中板の加工において支障のないよう平面図上、あらかじめ、Ｖ３の平面図上の位置を中板に投影しておくためである。この時点で、縁板は、枠状に３分割されることになる。【００６４】  全部ラックに組み込む専用アクセサリーを作るには、上下の横のラックに付け足された左右縁部���の縦のラックに、縦の専用アクセサリーを組み込むことができるように、専用アクセサリーに組み足しの加工を行う必要がある。この組み足しは、中板と縁板の層において行なわれるが、最初に、図４９の全部ラックに専用アクセサリーＡＣ１とＡＣ２が組み込まれた状態を想定し、これらの基板ＡＢ１，ＡＢ２を中板の部分として見立て、これらの本体を縁板の部分として見立てて行なう必要がある。平面図上、縁板に現れるアクセサリーラックの長さＸとＹは、本体の長さよりも２ｇだけ長いので、加工を要するのは中板の層における部分であり、上下の横のラックを先に組み込むものとして、この状況を平面図として各基板を拡大して示したのが図５０である。この図は４つのアクセサリーの組み込みが完了したときの各基板の位置を示しており、ＡＢ１はＡＣ１の基板であり、ＡＢ２はＡＣ２の、ＡＢ３はＡＣ３の、ＡＢ４はＡＣ４の基板であり、２ｇは専用アクセサリーを組み込む際の差し込み幅であり、ｇはスライド幅である。【００６５】  組み込まれた上下の横の専用アクセサリーの基板に、後から縦に組み込む専用アクセサリーの基板を組み合わせることになるが、中板の層の厚さは基板の厚さと同じなので、横のアクセサリーの基板にこのための切り取り加工を行なう。したがって、ＡＢ３とＡＢ４の基板を組み込めるように、基板ＡＢ１とＡＢ２を切り取り加工する必要がある。この組み足し部分に収まる縦の専用アクセサリーの爪部分は横の専用アクセサリー本体によって押さえられる。このようなラックおよび専用アクセサリーの組み足しにおける基板ＡＢ１の切り取り加工する部分を平面図として示すと、図５０に示す基板の左側部分でＡＢ４と組み合う部分の加工が図５１であり、基板の右側部分でＡＢ３と組み合う部分の加工を示すのが図５２である。また、基板ＡＢ２の切り取り加工を示すと、基板の左側部分でＡＢ４と組み合う部分の加工が図５３であり、基板の右側部分でＡＢ３と組み合う部分の加工が図５４である。この４つの図において斜線部分を切り取るが、ｐで表わす部分は、これに含めて同時に切り取ってもかまわない。Ｂは基板の幅であり、２ｇは、専用アクセサリーを組み込む際の、最初の差し込みの長さであり、ｇは、スライド幅である。【００６６】  全部ラックを作るための中板の加工においては、専用アクセサリーの基板のスライドに必要な部分を確保するとともに、構造上、重要でない部分を作業の簡単化の観点から加工除外部分に含めることにより、作業を合理化できる。まず、縁板の加工の際中板に投影したＶ３の輪郭をＶ２とすると、この部分は必ず切り抜き除外しなければならない部分である。図５０において、斜線部分のうち、ＢＵ１、ＢＵ２、ＢＵ３、ＢＵ４で示す小さい長方形は、平面図上、専用アクセサリーがスライドした後の空間を表わす部分であり、取り外すときは逆にスライドさせるため、各基板の反対方向にこの空間ができるもので、必ず必要な空間であり、中板の加工においてもこのための加工が必要であるが、ＢＵ３とＢＵ４は既に基板の組み足しとして行われ、切り抜き部分Ｖ２に含まれている。斜線部分のうち、ＢＳ３とＢＳ４で表わす部分は縦の長さがＹであり、できあがりのラックの構造上、必ず必要なものではなく、中板の加工の際、除外部分に含めてもよい。この部分がなくても、できあがりのラックにおいては、専用アクセサリーは外側の縁板ＦＯによってその側面から支えられる。【００６７】  また、図５０において、平面図上、ＢＵ１とＢＵ２の部分およびＡＢ１から４までで表される部分は、すべて中板から切り抜き除外する必要があり、これに斜線部分のＢＳ３とＢＳ４の部分を含めることになり、この全体の部分は切り抜き部分Ｖ２を含むものである。したがって、中板の加工は、図５５のような平面図として表わすことができる。Ｖ２は、縁板の加工の際のＶ３を投影したものであり、ＢＳＬは、図５０におけるＢＳ４と横のアクセサリー差し込みに必要な長さ２ｇで幅がＢの切り抜き部分をまとめたものであり、ＢＳＲは、同じくＢＳ３と横のアクセサリー組み込み時のスライドに必要な長さｇで幅がＢの切り抜き部分をまとめたものである。ＢＯは、外側の枠状の中板であり、ＢＩは、内側の枠状の中板である。内側の中板ＢＩの外形の寸法は内側の縁板ＦＩと同じであり、ＸはＶ２の横の長さをあらわし、Ｙは、ＢＩの外形の縦の長さを示すとともに付け足した縦のラックの長さでもある。２ｇは、横のアクセサリーを差し込む長さ、ｇはスライド幅である。中板の加工は、図５５において、縁板からＢＳＬ，ＢＳＲおよびＶ２からなる部分を切り抜いて行なうが、２段階でおこない、最初にＢＩを切り取り、次にＢＳＬ，ＢＳＲおよびＶ２からなる部分を切り取り、各段階で縁板の加工時と同様に、それぞれの輪郭を底板に投影して重ね貼り合わせに備える。【００６８】  また、裏蓋方式の額縁に全部ラックを設ける場合、平面図におけるその位置により、裏蓋とどめが形成できない場合があるので、これを避けるため、ラックの位置を決める際は、内側の中板の幅を充分にとることが必要であり、かつ平面図上、ラックの位置が、底板上にあることが必要である。このことは、全部ラックを作成するための想定上の基礎とする上下ラックにおいても、あらかじめ考慮する必要がある。【００６９】  縁板と中板をこのようにして加工した後、直角台を使用し、額縁を作るものとして、底板を最も下にして、中板、縁板の順で重ねて貼り合わせるが、中板の貼り合わせにおいては、切り取り時に底板に投影した輪郭に合わせて内側の中板ＢＩを重ねはりあわせ、次に外側の中板ＢＯを重ねて貼り合わせて貼り付ける。縁板の貼り合わせにおいては、この上に、先に内側の縁板ＦＩを内側の中板の外形の位置に合わせて貼り合わせ、次に外側の縁板ＦＯを貼り合わせる。この作業においては、できあがるラックの幅をその長さにわたり一定に保つように確認する必要がある。このようにして、図４９の全部ラック付きの裏蓋方式の額縁を作ることができる。【００７０】  図５６は、このようにしてできあがった全部ラックつきの額縁の平面図であるが、この図のＹ１−Ｙ１の部分を立面から見た断面は、基本ラックの構造を表す図４５と同じになる。Ｙ２−Ｙ２の部分の断面は、図５７で表され、図において左右にある溝が縦のラックであり、中板の加工において、ＢＳ４とＢＳ３を切り抜いていることが表れているが、専用アクセサリーの構造上、ラックの機能にはほとんど影響がないことがわかる。点線で表される部分は、���蓋の組み込み口である。Ｘ１−Ｘ１の部分を側面から見た断面は、図５８で表され、Ｘ３−Ｘ３の部分の断面と同じであり、この２つの図において縦の専用アクセサリーの爪部分が差し込まれ、または組み込まれる横に凹状の部分が現れないのは、この部分が横と縦のアクセサリーの組み足しとしてラックの空間の中で相互のアクセサリーの結合が行なわれるからである。【００７１】  この組み込み完了時の状況は、図６０および図６１において結合部分を簡略に示したが、図６０は、横のアクセサリーＡＣ１と縦のＡＣ３の結合を表わしている。２ｇで示される長さがアクセサリー組み込み時の差込幅であり、ｓで表される部分は、組み込み完了時にできる空間である。図６１は、横のアクセサリーＡＣ２と縦のＡＣ３の結合を表わしたものである。ｇで示される長さがスライド幅である。Ｘ２−Ｘ２の部分の断面は、図５９で表されている。このようにアクセサリーラック付の額縁を作り、このラックに専用アクセサリーを組み込むことにより、額縁の趣を変え、あわせて水平をとることができる。【００７２】第５の課題は、正面入れ替え方式の額縁の存在を明らかにすることであるが、これは、趣を変えることができる額縁の作成過程において明らかになったものである。具体的には、全部ラック付きの裏蓋方式の作成過程において見出すことができる。【００７３】以上のように、全部ラック付きの裏蓋方式の額縁を作ることができたが、その構造は平面図と各断面図に示されるが、重ね貼り合わせられた内側の中板ＢＩ、内側の縁板ＦＩの部分（以下、これを「内枠」と呼称する。）と、重ね貼り合わせられた外側の中板ＢＯと外側の縁板ＦＯの部分（以下、これを「外枠」と呼称する。）が、底板上で分離された形になっている。重ね貼り合わせの作業において、この内枠を作成しない場合、額縁全体がアクセサリーラックになる。このアクセサリーラックは、基本アクセサリーラックの縦幅Ｂを、平面図上の位置を保ったまま、ＹにＢの２倍を加えたものに変更したものであるので、このラックに見合う専用アクセサリーを作成し、組み込むことができる。横の長さは、Ｘに２ｇを加えたものである。このように縦幅を拡げた基板を「拡幅基板」と呼ぶことにして、この場合、縦幅が最大なので「最大基板」と呼ぶことにする。用紙収納スペースは、その横幅がＸに２ｇを加えて表わされるもので「規格外収納スペース」と呼ぶことにする。この収納スペースの位置は、最大基板の組み込みが完了した時の位置にあると考えられる。また、平面図上、このアクセサリーの基板と同じ大きさの絵などを額縁の正面から組み込んで飾ることができる。このようにすると、裏蓋が不要になる。したがって、重ね貼り合わせの作業において、使用する底板は図７ではなく、図４で示す底板となる元板を使用することにより裏蓋を廃することができることである。この場合、最大基板１個の組み込みなので、組み足しの加工は不要である。このようにしてできた額縁は、「正面入れ替え方式の額縁」のひとつと言うことができる。この額縁において、単独使用されている中板は、図５５における中板であり、これを「中板ＢＯ」と呼ぶことにする。【００７４】この額縁においては、使用する用紙は「規格外の用紙」を準備��る必要があるが、その厚さと枚数は極度に制限されている。この制限をなくするには、明確な収納スペースが必要である。このため、中板を追加することになるが、使用する中板は、図５５の中板ＢＯの作成過程において斜線部分ＢＳＬとＢＳＲを切り取る前の中板であり、平面図上、図４９のＦＯで示される縁板と同じ中板である。この中板を「単純外枠の中板」と呼ぶことにする。この単純外枠の中板を追加することにより、構造を変えないで、収納スペースの厚さのみを増やすことができる。また、拡幅基板には、全部ラック付きの裏蓋方式の額縁と同じ画面窓を設けることができるので、これをラックに組み込むと、基板が一般の額縁におけるマットのような作用をすることになり、収納した規格外の用紙を押さえることになる。また、平面図上、最大基板の組み込みが完了する位置が規格外収納スペースの位置であると考えられる。この額縁を正面入れ替え方式の中で、「ラック型」の額縁と呼ぶことにする。【００７５】ラック型の構造を表わす次の各図においては、中板ＢＯと底板の間に１枚の単純外枠の中板を加使用した場合の図であり、平面図は、図６２で表されており、その構造は、立面からの断面図Ｙ２−Ｙ２は図６３で表わされ、図７４と同じである。側面からの断面図Ｘ１−Ｘ１と断面図Ｘ３−Ｘ３は同じで図６４で表わされている。同じく断面図Ｘ２−Ｘ２は、図６５で表わされ図７７と同じに表わされる。点線で示される細長い長方形は最大規格の収納スペースを表わす。このような中板ＢＯと単純外枠の位置関係をもつ額縁の構造を「表蓋型」と呼ぶことにする。【００７６】また、全部ラック付きの裏蓋方式の額縁は、鑑賞する正面を床に向けても組み込まれたアクセサリーは落ちたり外れたりしない。これは、横のアクセサリーが、縁板によって下から支えられているからであり、縦のアクセサリーが横のアクセサリーの本体によって下から支えられるからである。また、この額縁は、通常の使用においては、縦のアクセサリーの差し込み方向を床に向けないので、ピンソケットを使用して壁掛けされたときも、４つのアクセサリーは図４９の位置関係を保ち続けることができる。この場合、各ＡＣはその基板の相互の結合や縁板と内枠の支えにより組み込み後の位置を保つことができる。この中で内枠の支えを必要とするのは、ＡＣ１を下からの支える場合のみである。【００７７】図５０における斜線部分のうち、ＢＳ３とＢＳ４の部分を切り取らない場合も全部ラック付きの額縁ができる。このケースにおいては、４つの専用アクセサリーの組み込みの状態が、より強固なものになる。組み込み後、内枠のみによって支えられていた横のアクセサリーの基板ＡＢ１は、これらの部分によっても支えられることになる。したがって、重ね貼り合わせにおいて内枠を除外しても、組み込まれたアクセサリーは、その位置を保つことができる。しかし、この場合には、組み込み後のＡＣ１の位置を保つために、図５１から５４に示す基板の組み足しの加工において、ｐで示される部分は切り取ることができなくなる。この加工においてｐの部分を切り取ることを基板作成の「簡単化」と呼ぶことにする。この簡単化を行っても、重ね貼り合わせの際、もしその部分を切り取らないでその基板を��み込んだときの中板の位置において底板に貼り付けると、内枠を除外してもＡＣ１の位置を保つことができる。実際の中板作成においては、平面図上、あらかじめこの位置を図５０などから設定しこのＰの部分を残すことになる。これを「簡単化の戻し」と呼ぶことにするが、ここでは、簡単化とこの戻しをしないで内枠を除外した全部ラック付き裏蓋方式の額縁について説明を進め、必要に応じて言及することにする。【００７８】内枠を除外した全部ラック付きの額縁を作成するには、図５０におけるＢＳ３とＢＳ４を切り取らない中板が必要である。図６６はこの中板の平面図であり、切り抜く部分はＶＮで示される長方形の部分とＲＨでしめされる４つの斜線部分である。長方形ＶＮは、図５５のＶ２の外側の輪郭に一致しており、Ｖ２、ＢＩおよび収納スペースからなっているが、内枠は除外するのでこれらを一括して切り抜くことができる。ＲＨで示す小さな長方形の切り取りによって、できあがりの重ね貼り合わせの額縁において横の専用アクセサリーを組み込むための基本アクセサリーラックができる。このラックの両端には、アクセサリーを差し込み、スライドさせるための横に凹状の空間ができるが、これにより、専用アクセサリーを差し込み、スライドさせることができる。左側の長さが、２ｇであり、右側の長さがｇである。説明上、この横に凹状の空間を「ラックハンド」と呼ぶことにする。図のＲＨ−ＬＵは正面から見て左上に位置し、同じくＲＵは右上、ＬＤは左下、ＲＤは右下に位置する。【００７９】このようにしてできる中板を「中板ＢＯＥ」と呼ぶことにする。この中板を単独使用して外側の縁板と底板を重ね貼り合わせると、内枠が除外された全部ラック付きの裏蓋方式の額縁ができる。なお、専用アクセサリーの基板の作成において、簡単化を行い、その戻しを行う場合は、図に示すようにラックハンドの縦幅が上は２ｇ、下はｇだけ短くなる。また、ラックハンドにアクセサリーの組み込みが完了したとき、その基板の最も両端の部分でラックハンドに組み込まれている部分を「Ｂハンド」と呼ぶことにする。この部分は、図３７、図３９、および図６９、図７０において、その長さがｇにわたって示されている。【００８０】内枠が除外されたことにより、用紙収納スペースと押さえ縁がなくなっているので、規格用紙は使えないが、図４９におけるＦＯの内側の輪郭で示される大きさの用紙を飾ることができる。この大きさを「最大規格」と呼ぶことにする。横の長さは、Ｘであり、縦の長さは、ＹにＢの２倍を加えて表わされる。この用紙を「最大規格用紙」と呼ぶことにするが、厚さが明確な収納スペースがないため、使用できる用紙の厚さと枚数は極度に制限されている。また、概観上、アクセサリーラックの境目が識別しにくいが、アクセサリーはラックハンドに確実にくみこむことができるので、このとき、アクセサリーラックの位置が明確になる。この額縁での絵などの入れ替えは各専用アクセサリーの組み込みと同時に行われる。具体的には、最初に絵などを入れ、この上端を押さえながらＡＣ２を組み込み、次にＡＣ１を組み込み、最後に絵などを左右の中央に位置させて縦の専用アクセサリーを組み込むことになる。飾られた絵や写真の端々は、各専用アクセ��リーによって押さえられ、アクセサリーが押さえ縁を兼ねる。また、画面窓は、組み込まれたアクセサリーによって囲まれた部分である。平面図上、この大きさを「拡大規格」と呼ぶことにする。この額縁も、絵などを額縁の正面から入れ替えできるものであり、重ね貼りあわせにおいて使用する底板は、図４で示す底板となる元板を使用することにより裏蓋を廃することができることである。したがって、このようにして全部ラック付きの裏蓋方式の額縁から内枠を除外して、さらにその裏蓋を廃して作成される額縁も、「正面入れ替え方式」の額縁と呼ぶことができる。また、このプロセスを「全部ラックの拡張」と呼び、拡張された額縁を正面入れ替え方式のうち、「拡張型」の額縁と呼ぶことにする。【００８１】このようにしてできあがる拡張型の額縁は、正面からみて図６７のような概観を呈し、斜線で示す４つのＬ字型の溝ができており、額縁として違和感のあるものである。この溝の幅はスライド幅ｇで表わされるが、重ね貼り合わせの前に一定の加工を追加することにより、修正することができる。説明上、図５０における組み足しにおいて、基板の組み込みに必要な深さが、図５１や図５２のように、差し込み幅が２ｇで表わされるＡＢ１の基板の加工を「２段加工」とし、必要な深さがスライド幅ｇで表わされるＡＢ２の加工を「１段加工」とする。まず、各ＡＣの本体に加工を加える。図３９において寸法を示す２つのＢのうち、図３７で示されるＢの幅の一方をスライド幅ｇでその本体の長さに渡って切り取り、その幅を縮めて、これを基板に貼り付ける際は、片方の側面のみを整え、立面からの位置関係はそのまま保って貼り付ける。図６８はこのＡＣの側面を表わしたものである。これは、できあがりにおける組み込みにおいてｇの幅だけＡＣ１の上方シフトおよびこれに続く下方シフトを前提にしており、他の３つのＡＣは、概観のバランスをとるために同様の加工をするにとどまる。【００８２】次にＡＣ１の基板を作成する際にＡＣ１の組み足しの加工を１段加工にする。したがってＡＢ１とＡＢ２は、図において上下対象となる。その際、二つの基板に図５３、５４で示される簡単化を行う。中板に対して簡単化の戻しをすると組み込みが強くなり、戻しをしないと弱くなるが、ここでは、この戻しを行うものとする。このようにすると、ＡＣ１の差し込みにおける基板の縦幅をＡＢ２に等しくすることができる。この専用アクセサリーＡＣ１の側面を表わしたのが図６８であり、平面図として表わしたのが図６９である。また、ＡＣ３とＡＣ４の本体は、これまでのものよりｇの分だけ長いものを作成し、図５０における基板の上端に２ｇを残して貼り付け、図において互いに左右対称である。図７０はＡＣ３の平面図である。【００８３】また、外枠を構成する中板の作成における加工が図７１で示される。図６６のＶＮの部分を切り抜き、その次にラックハンド作成ための切り取りを行うが、その際、ラックハンドの縦幅を図にしめすようにＢからｇを差し引いた長さにする。この後、斜線で示すＢＲの部分を切り取る。この中板を「中板ＢＯＲ」として、重ね貼り合わせにおいて単独使用する。このように、ＡＣおよび中板を加工することにより、できあがりの組み込みにおける手��は変わらないが、ＡＣ３とＡＣ４を組み込むときにＡＣ１を上方シフトさせ、組み込み後、ＡＣ１を下方シフトさせる。この加工のプロセスを「専用アクセサリーの内枠化」と呼ぶことにする。中板ＢＯＲは、中板ＢＯＥと択一的に使用されるべきものであると考えられる。図７２は、このできあがりの概観図であり、溝は、外枠と各ＡＣの間にスライド幅ｇで一様にできている。これにより、各ＡＣは、互いにロックされた状態になり、その組み合わせは、より強固なものになる。なお、以下の説明においては、この内枠化は行わないものとして進め、必要におじて、言及することにする。【００８４】拡張型の額縁において、単純外枠の中板を中板ＢＯＥと底板の間に追加することにより、最大規格の大きさで、厚さがｆの収納スペースができる。これを「最大規格収納スペース」と呼ぶことにする。ここに収納された用紙は、組み込まれた専用アクセサリーによって押さえられる。構造を表わす次の各図においては、１枚の単純外枠の中板を追加した場合のものであり、平面図は、図７３で表わされ、点線の長方形は、ラックと画面窓の境界を示しており、最大規格の寸法と４つのラックハンドが示されている。立面からの断面図Ｙ１−Ｙ１は図７４で表わされており、中板ＢＯＥの単独使用による左右のラックハンドが横に凹状の断面で示されている。同じく断面図Ｙ２−Ｙ２は図７５で表わされる。側面からの断面図は、Ｘ１−Ｘ１とＸ３−Ｘ３が図７６で表わされており、上下のラックハンドが示されている。同じくＸ２−Ｘ２は、図７７で表わされている。各図におけるｆは中板の厚さであり、ラックハンドの厚さでもある。また、各図において点線の細長い長方形は最大規格の収納スペースを表わす。【００８５】このように、拡張された額縁に、中板の追加として単純外枠の中板を１枚のみ使用した場合の額縁においては、ラックハンドと収納スペースが各図に示される位置関係にあり、この構造を説明上、「縁枠型」と呼ぶことにする。また、これに追加２枚目以降に単純外枠の中板のみ使用した場合、縁枠型の各位置関係が保たれたまま、収納スペースの厚さだけが増すが、２枚目以降の追加によってできる額縁の部分の構造を「箱型」と呼ぶことにする。この縁枠型に２枚目以降の追加として単純外枠の中板を多数追加した場合、箱型に連結させたと言える。なお、中板追加前の縁枠型の額縁において、単独使用されている中板ＢＯＥのみを複数追加すると、これにともない専用アクセサリーの基板の厚さを増す必要がある。このことを説明上、基板を「対応させる」と表現する。アクセサリーの基板は、通常、これと同じ基板を作りこれを貼り増すことによって、中板の追加に対応させるが、その長さの中央部分のみの厚さを増やすことによっても対応させることができる。後者の対応においては、専用アクセサリーの基板の裏に、同じ基板を貼り付けて追加するがその際、追加する基板のみの長さをアクセサリー本体と同じにしてアクセサリーの基板の両端に２ｇ以上の長さを残して貼り付けたものを使用する。このアクセサリーを「両面アクセサリー」と呼び、追加した基板を「短縮基板」と呼ぶことにする。このアクセサリーに組み込みにおいては、基板の厚さに限界がある。【００８６】また、��張型の額縁における縁枠型の作成において、中板ＢＯＥと単純外枠の中板の間に、中板ＢＯを１枚追加した場合には、額縁の平面図は、図７８で表わされ、立面からの断面図Ｙ１−Ｙ１が図７９であり、Ｙ２−Ｙ２が図８０である。図８１は側面からの断面図Ｘ１−Ｘ１、Ｘ３−Ｘ３を表わす。図８２は、同じく断面図Ｘ２−Ｘ２を表わす。このようなラックハンドと収納スペースの位置関係を持つ額縁の構造を「マット型」と呼ぶことにする。なお、縁枠型と表蓋型およびマット型の上記説明図において、縁板から単純外枠の追加１枚目までの重ね貼り合わせの構造を３者まとめて説明上、「面構造」と呼ぶことにする。この面構造に続いて２枚目以降の中板が追加される場合、その中板の平面図上の形によって、全体の構造が異なる額縁ができる。この追加の途中、または、底板の直前に、中板ＢＯを追加してできるラッククハンドに拡幅基板を組み込むと、底板が前面に押し出すような作用があり、額縁の厚さが一定でも収納スペースの厚さを減ずることができる。この構造を「裏蓋型」と呼ぶことにする。【００８７】また、正面入れ替え方式における額縁においては、拡張型の場合、最大規格の用紙を入れ替えできるが、通常、この一種類しか利用できない。この点を改善するために、最大規格の収納スペースの外形で、もう一つの額縁と言える収納容器を作ることを提案する。この収納容器には一定の画面窓が必要であり、また、異なる収納スペースをもつ容器を作成することにより、当初予定されていた規格の大きさや、拡大規格その他の用紙を収納し、これを正面入れ替え方式の額縁に入れ替えすることができる。このような収納容器を「収納アタッチメント」と呼ぶことにする。収納アタッチメントは、これを使用する額縁の収納スペースの外形の寸法に合わせて作成することができるものであり、絵などの入れ替えが不可能なものも使用することができる。アタッチメントの厚さは、これを使用する額縁の収納スペースの厚さである。収納スペースの厚さは中板の厚さｆであり、厚手の印刷用紙数枚の厚さを想定しているものであるが、アタッチメントを利用する場合はｆの数倍の厚さを必要とするので、あらかじめ中板を追加することになる。【００８８】アタッチメントを重ね貼り合わせによって作成するには、厚さができるだけ少ない額縁を作り、できあがった額縁を平面図上、そのアタッチメントを使用する額縁の収納スペースの位置と大きさに合わせてその周囲の縁部分を３層に渡り切り捨てる。アタッチメント内の収納スペースの厚さは、ｆで充分と考えられる。なお、正面入れ替え方式の額縁において、表蓋型やマット型の構造においては、単独使用されている中板ＢＯに続けて同じ中板を追加し、この厚さをもった最大基板の外形をもって、これに組み込む収納アタッチメントを作成し、使用することができる。【００８９】第６の課題は、正面入れ替え方式の特性を把握し、これをインテリアの面からその利用の形態を進展させることである。正面入れ替え方式の額縁は絵などを鑑賞する時も、入れ替えるときも、額縁の裏面や側面を考慮する必要がない。重要な点は、室内のインテリア面における色や形に絞られてくる。特に、額縁を壁掛けした際、その方法や額縁の厚さによる室内空間��の張り出しは、大きくなるに従って、インテリアのバランスを崩し、また室内の有効利用を妨げる。この観点から、額縁を室内の壁面に埋め込んで、額縁の張り出し部分を少なくする方法を提案するものである。【００９０】最初に考えられることは、壁面及びその内部構造の部分（以下、これを「壁面等」と呼称する。）に、額縁の外形をした直方体の空間を作り、これに額縁をはめ込むことである。このようにすると裏蓋方式の額縁でも、室内への張り出しはなくなり、いつでも額縁を取り出すことにより絵などを入れ替えできる。しかし、はめ込んだ状態で、縁部分を長い釘で打ちつけて、壁面等と一体化すると、先の普遍的額縁と同様に、入れ替え不可能になる。この一体化が埋め込みの状態であると考えられる。したがって、額縁を壁面等と一体化して構成することにより、室内への張り出しをなくし、または、これを調節するとともに、額縁の機能に支障ないことが埋め込みの条件となる。額縁の埋め込みやはめ込みは、額縁の大きさ、重さ、あるいは厚さが大きくなるにしたがって、通常の壁掛けにとって代わる方法として有効性が高くなるので、壁掛けの方法のひとつとして位置づけることができる。また、地震などによって額縁が落ちる危険なども少なくなり、一般住宅においてもこれまでより大きな額縁を飾ることができる。なお、このような意味では、ピンソケットによる壁掛けができない額縁に有効と考えられる。【００９１】はめ込みの空間は直方体であり、住宅の新築時または増改築に併せて一般的な造作により作るが、額縁の大きさをこれまでと同様に横の長さをし、縦の長さをＨとし、縁板、中板および底板の厚さの合計をＤＦとし、壁の厚さをＤＷとした場合、はめ込み空間と壁面は図８３のように概観できる。壁面の部分は、概観して見える部分は実線で、見えない部分は点線で表わされている。この空間を「壁掛けスペース」と呼ぶことにする。この造作においては、あらかじめ額縁の大きさを測り、この大きさを造作に反映させることになる。壁掛けスペースに額縁をはめ込むことは、これが設けられる一つの壁面等をより大きな額縁として見立てて、その額縁をこれに飾る絵などとして把握していると考えることができる。ここで着目する点は、その額縁の輪郭部分を、壁掛けスペースを構成する複数の壁面と一体化することにより、埋め込むことができることである。このためには、正面から見て、その額縁の縁部分をその厚さにわたり、少なくとも２分割し、外側の縁部分と内側の縁部分が定式的に把握できる構造の額縁が必要である。【００９２】全部ラック付きの額縁においては、前述のとおり、専用アクセサリーの使用を前提とする基本アクセサリーラックの連結により、平面図上の縁幅を３分割して把握できる構造になっており、これが拡張された額縁においては、２分割して把握できる。この分割はその厚さに関してもまた、概観においても、その部分の寸法を定式的に把握できるものである。拡張された額縁は、重ね貼り合わせによる額縁であり、正面入れ替え方式の額縁である。したがって、正面入れ替え方式の額縁の縁部分を構成する一定の部分を壁面等と一体化して形成して、その残余の額縁の部分を、造作によってできる空間に組み込むことにより、埋め込む��とができると考えられる。一定の部分とは、正面入れ替え方式の額縁の外枠部分と底板の部分とすることができる。具体的には、平面図上、図４９においてＦＯで示される外側の縁板の部分で、重ね貼り合わせの全部の層に渡る部分であり、これに含まれない底板の部分もこれに含むことになる。この部分を壁面等の造作により、埋め込んでできる空間を「ラックスペース」と呼ぶことにする。埋め込みにおいては、壁面そのものが額縁になると考えることができる。また、ラック型の額縁についても同様に把握できる。【００９３】正面入れ替え方式の額縁を埋め込むには、上記の一定部分を壁面等と一体化して作る必要があり、これによってできあがる空間が、額縁を埋め込むためのラックスペースであり、壁面等においてこの周りを取り囲むように壁掛けスペースがあると想定される。この大きさは、ラックスペースとラックハンドを含む埋め込みの一定部分を併せたものである。したがって、埋め込みの一定部分を造作することは、壁面等において額縁を作成することと言うことができる。この場合の額縁の構造は、重ね貼り合わせによる正面入れ替え方式の額縁の構造であるが、埋め込みの造作は、必ずしも重ね貼り合わせよる必要はなく、一般の造作手法によりこの構造を作ることができる。また、壁掛け方法としての埋め込みは、額縁を部分的に壁面等へ埋め込むための壁の造作と日常における絵などの入れ替え作業とに分かれ、造作は大工さんが行い、入れ替え作業はユーザーが行うことになる。【００９４】拡張型の場合、ラックスペースの横の長さをＬＷ、縦の長さをＨＷとすると、この大きさは、平面図上、最大規格に一致しており、ＬＷはＸであり、ＨＷはＹにＢの２倍を加えたものである。奥行きをＤＲとすると、これは、額縁の厚さＤＦのうち壁面等に埋め込まれる部分を表わし、厚さの全部を埋め込む場合、ＤＲは、ＤＦから底板の厚さを差し引いたものとなり、また、追加を含む縁板と中板の合計である。したがって、ラックスペースの奥行きを調節することにより、額縁の厚さのうち、室内に張り出す部分の厚さと埋め込まれる厚さが調整される。ラックハンドは、平面図上、埋め込みの一定部分に含まれるものであり、造作により壁面等の中で構成され、ラックスペースに接続している。（以下、文中ラックハンドを「ＲＨＤ」と表記する。）このＲＨＤの位置は、壁掛けスペースに、はめ込まれたときの額縁における位置と同じである。【００９５】マット型の額縁を埋め込んだときの平面図が、図８４で示され、立面からの断面図Ｙ１−Ｙ１が図８５であり、図８６は側面からの断面図Ｘ１−Ｘ１である。これらの図において斜線の部分が壁面等を表わし、ＥＬで示す点線の囲み枠の内側が壁掛けスペースを表わしている。平面図においては、ラックスペースは、長方形ＳＰＳで表わされ、ＲＨＤを含む埋め込みの一定部分は、斜線部分と囲み枠が重なり枠状にしめされる部分である。埋め込む額縁の平面図における最大収納スペースの横幅がそのまま、ＳＰＳの横幅ＬＷとなり、縦幅がＳＰＳの縦幅ＨＷとなる。立面の断面図においても埋め込みの一定部分は、容易に把握できる。埋め込まれた額縁の厚さＤＦから底板の厚さを差し引くとラックスペースの奥行きＤＲとなる。【００９��】また、ＲＨＤとラックスペースの連結状況が示され、埋め込まれた底板も明示されている。最大収納スペースの横幅がラックスペースの横幅である。側面の断面図においても埋め込みの一定部分の把握は容易である。マット型における面構造にある２種類のラックハンドの位置関係が明示されている。この縦幅が、ラックスペースの縦幅である。このように、埋め込みの一定部分は、壁掛けスペースを想定することにより、埋め込む額縁の平面図とその厚さから定式的に把握できる。各図におけるＢは、ラックの幅を表わすとともにその位置を示しており、特に平面図上、この位置と壁掛けスペースを表わす点線の囲み枠までの距離が、埋め込みの一定部分として把握される。この距離は、埋め込む額縁の平面図においては、外枠の幅である。以上のように、埋め込んだときの各断面図は、壁掛けスペースを想定する線引きにより、重ね貼り合わせの継ぎ目が表わされないことを除けば、埋め込み前の各断面図と同じに表わされる。このことは、縁枠型、表蓋型についても同様である。【００９７】また、埋め込む正面入れ替え方式の額縁の収納スペースの厚さが大きいため、額縁が厚くなり、ラックスペースの奥行きを必要とする場合は、この額縁の収納スペースの厚さをラックスペースの奥行きＤＲに反映させる必要がある。このためには、追加されている中板の厚さの合計を把握して、額縁の厚さＤＦのうち埋め込まれる厚さの部分を決める必要があり、これがラックスペースの奥行きとなる。これと同時に、ＲＨＤの位置と大きさを、額縁を構成する各板の層においても、平面図上においても適切に把握するする必要がある。奥行きを浅くしたため、面構造を形成する外枠の層の部分が、室内に張り出す場合は、これを埋め込みの一定部分として、ラックスペース以外の壁面部分において、縁板やＲＨＤを作成する必要がある。（以下、文中、ラックスペースを「ＳＰＳ」と表記する。）ＳＰＳにおける絵などの入れ替えは、埋め込み前の正面入れ替え方式の額縁が既に壁掛けしてあるものとして、これと同様に拡張型においては４つの専用アクセサリーを、ラック型においては、ひとつの拡幅アクセサリーを組み込み、取り外すことによって行うことができる。また、ＳＰＳを形作る壁面等は、埋め込み後の額縁の残余の部分と収納する絵などの重さや寸法を考慮して、充分これに耐える構造にする必要があり、またデザインの面からも使用する材料を適切に選択する必要がある。【００９８】なお、このような埋め込みを用いると、重ね貼り合わせによらない一般の額縁もＳＰＳを使って壁掛けできる。この場合は、一般の額縁を収納アタッチメントとして把握し、これを使用する正面入れ替え方式の額縁を想定して、この額縁を埋め込むことになる。したがって、想定した重ね貼りあわせの額縁において面構造を定め、アタッチメントが使用できる収納スペースを的確に設定する必要がある。これを確保するためのＲＨＤの位置と大きさの寸法および必要な中板の追加を決めることになる。【００９９】第７の課題は、壁面等への額縁の埋め込みをユーザーにとって、日常における壁掛け作業同様に、身近なものとするための方策を提案することである。この際、壁掛けスペースやＳＰＳは、ひとつの作り付けの棚��して使うこともできることが前提にされるべきものと考え、この観点から、埋め込みユニットを提案するものである。このための基本的な考えとかたとしては図８４、図８５、図８６で示されるように、ラックスペースを作ったとき想定されるその額縁の壁掛けスペースを、あらかじめ寸法を取り、壁面等から切断分離して作ればよいことになる。これに加えて上記の汎用的な使用を前提に提案するものとする。【０１００】壁掛けをする額縁の寸法を実際に把握している場合は、あらかじめ、このようなＲＨＤとＳＰＳを造っておくことが有効である。この寸法に合う専用アクセサリーは、ユーザーの手によっていつでも簡単に作ることができる。また、住宅の増改築時に、後日に購入する額縁の寸法を決定できないケースが多いと考えられる。このような場合、後日、用意する額縁はＳＰＳより小さいものになり、隙間ができてしまい、組み込んで飾ることができないケースが多いと考えられる。たとえば、一般の額縁を購入したが、作り付けのＳＰＳに合わない場合である。このような場合は、既に埋め込みのため想定された額縁の寸法が決まっているのでＳＰＳの収納スペースの部分の寸法を実測して、この外形で、発泡スチロールなどの加工しやすい材料で、収納アタッチメントを作成するのが、最も簡便な方法である。なお、このように寸法が合わない場合において、アタッチメントに粗雑な材料を使った場合は、表蓋型やマット型の構造が適しているので、あらかじめこれをＳＰＳに作成しておくと便利である。【０１０１】しかし、大きさや重さが一定以上のアタッチメントや一般の額縁が、ＳＰＳに合わない場合は、上記の簡便法は使うことができない。このために、ＳＰＳの縦横および奥行きを段階的に調整することを提案するものである。拡張型の額縁を想定して埋め込むが、かなりの厚さのあるものとする。この際、マット型の構造を想定し、面構造にある単純外枠の中板に次に、中板ＢＯＥを多数追加して埋め込む。このようにすると、ＳＰＳにおいて、中板ＢＯＥの追加によるＲＨＤの縦幅は、平面図上、上下ともにマット型の面構造にあるＲＨＤと同じＢであり、側面から見て横長にできる。このＲＨＤを「横長ラックハンド」と呼ぶことにする。この奥行きをｎｆとする。また、ＳＰＳを構成する５つの壁面のうち、上下の壁面を、底板に見立てた場合、この面にもうひとつのアクセサリーラックが存在し、横長ＲＨＤを使用することができる。このラックは、その幅が、奥行きｎｆで、長さが想定した額縁のラックの長さと同じであり、これに使用できる専用アクセサリーの基板の長さも同じである。したがって、このＳＰＳの専用アクササリーの縦幅Ｂをもって、もうひとつのアクセサリーラックに組み込む基板の厚さとして把握できる。この基板のみを横の「調整基板」と呼ぶことにする。横の調整基板を作って組み込むと、これに、左右の側面を底板として、差し込み、スライドの方向をＳＰＳで使用する専用アクセサリーと同じにしたＲＨＤを作ることができる。横の基板と同じの厚さの縦の基板を作成し、このＲＨＤに組み込むことができる。これを縦の調整基板とする。これらの調整基板は、横長ＲＨＤに専用アクセサリーの基板を対応させたものと考えることができる。【０１０��】これらの調整基板は、専用アクセサリーと同様の組み込み方ができる。ここで、想定した額縁で専用アクセサリーの基板の作成において簡単化とその戻しを想定し、これを中板ＢＯＥの追加にともなう基板のみに反映させると、平面図上、ＲＨＤの縦幅が、上の方は、Ｂから２ｇを引いたものになり、下のほうは、Ｂからｇを引いたものになる。この調整基板の組み込みが完了したときの左上のＲＨＤと調整基板の組み込み部分を平面からみて表わした状況図が、図８７であり、上側の調整基板が斜線により、Ｕ−１として表わされ、同じく左下を表わしたのが図８８であり、下側の調整基板が斜線により、Ｄ−１として表わされている。図８７においては縦幅が２ｇ、横幅がｇで、図８８においては、縦幅横幅ともにｇで点線により示される矩形は、簡単化の戻しをおこなった部分であり、ＲＨＤとともに埋め込みの一定部分に含まれている。右側の方も同様に表わされるが、組み込みに必要な深さとなるＲＨＤの横幅は、ｇである。縦の調整基板は、二つの図において、斜線部分Ｌ−１として表わされている。これらの調整基板を、平面図上、このような形にすることより、左右の側面と基板Ｕ−１とＤ−１の面にもＢの間隔の間に一定の幅で分離されたＲＨＤを作ることができる。図において、複数のＢは、ＳＰＳを構成する横と縦の基板の内側に、このような位置関係で複数のＲＨＤを作ることができることを示している。なお、簡単化および簡単化の戻しは、当初のＳＰＳの奥行きのうち、面構造の部分には適用しないで、２枚目以降の中板ＢＯＥの追加によってできる構造の部分のみに適用する。【０１０３】このようなＲＨＤを、ＳＰＳを構成する左右の壁面に、Ｂの間隔で複数作ることにより、縮小の目標となるＳＰＳの縦幅を段階的に決めることができる。また、その段階ごとに縦幅に見合う縦の調整基板を組み込むためのＲＨＤを、横の調整基板にもＢの間隔で複数のＲＨＤを作成しておき、これを組み込むことにより、目標のＳＰＳを構成することができる。この状況を表わしたのが図８９である。平面図上、なくすべき隙間を通常、縦方向に配分される大きさをｆａ、横方向に配分される隙間の大きさをｆｂで表わされており、図の輪郭が当初のＳＰＳであり、Ｕに付けられた番号は、上側の横の調整基板が組み込まれるＲＨＤの位置を示しており、同じく、Ｄの番号は下側の横の調整基板の位置、同じくＬは左側の縦の調整基板の位置、同じくＲは右側の縦の調整基板の位置を示している。縮小の目標をＳＰＳ−３３で表わしているが、横の基板が１桁目の番号で３の位置で縦の基板が２桁目の番号で３の位置を示す。なお、縦の基板は、番号が同じでも、その都度、横の位置を移動できる。これにより、ＳＰＳの縦横の長さの比を変えることができる。【０１０４】縦の調整基板は点線で示されており、目標のＳＰＳを構成するには、この中から左右の１組を選択して組み込むことになる。通常は、縦の各番号は同じであり、横の番号も同じものを使用するが、異なる組み合わせによってＳＰＳを作ることもできる。図８９において、２枚の横の調整基板Ｕ−１、Ｄ−１は、常に最初に使用されるものであり、選択使用されることになる縦の調整基板のいくつかはあらかじめ作っておくと便利である��また、これらのＲＨＤに組み込む各調整基板の長さは、専用アクセサリーの長さと同じように決めることができる。基板Ｕ−１の長さは、当初のＳＰＳの横幅Ｘに２ｇを加えたものである。また、当初のＳＰＳの縦幅がＹにＢの２倍を加えたものなので、縦の調整基板Ｌ−３の長さは、この長さからＢの６倍を差し引き、これに２ｇを加えて算出できる。これらの縦と横の基板を相互にすべて図８７、８８のような組み込みができるように、両端の長さ２ｇにわたる部分を加工する。この部分の厚さは、図で示されるように下側の調整基板のみ、Ｂからｇを差し引いたものであり、他の基板の厚さは、２ｇを差し引いたものとすることができる。右側の調整基板は、左側の基板を鏡に映したように対称に表わされる。このようなＲＨＤを作成した場合、縦と横の調整基板の組み合わせによって平面図上のＳＰＳを段階的に縮小することができる。図に示す各調整基板の位置のうち、番号１の横と縦の基板４枚１組を説明上、「調整枠１」、番号２のものを「調整枠２」と呼ぶことにする。【０１０５】また、縦の各調整基板に縦長のＲＨＤを複数設けておくと、裏蓋型の構造を作ることができるためこれにより、縮小後の奥行きを短く調整することができる。この基板の厚さは、ｆを単位として表わされｍｆとするが、Ｂとすることもできる。この拡幅基板を「調整底板」と呼ぶことにする。調整底板は、平面図上、縮小されたＳＰＳの横幅に２ｇを加えて、その横幅とし、ＳＰＳの縦幅をそのまま縦幅とする。ＳＰＳの横幅は、横の調整基板の長さと同様に算出できるが、採用する横の長さは、調整底板を組み込むＳＰＳを構成する横の基板の番号ではなく、次の番号の横の基板の長さとなる。なお、中央に円形などで繰りぬいておくと使いやすい。【０１０６】このようにして、各調整基板と調整底板を作成することができる。この場合、複数のＲＨＤを左右の壁面に設けることができるが、縦の調整基板Ｌ−１にこのＲＨＤを設けて、必要に応じて、この調整枠１を組み込むようにすることができる。このようにした場合、左右の壁面に設けられた複数のＲＨＤは、縦の調整基板Ｌ−１、Ｒ−１の面に設けることになる。目標とするＳＰＳの縦幅を決める横の調整基板は、図８９において、Ｕ−２とＤ−２になるので、この二つの基板の面おいてＬ−２、Ｒ−２以降の縦の調整基板が組み込まれる複数のＲＨＤを作り、この組み込みによりＳＰＳの横幅が決まるように複数のＲＨＤを作る面を変更することができる。したがって、このような複数のＲＨＤを設けるのは、縦の調整基板Ｌ−１とＲ−１および横の調整基板Ｕ−２とＤ−２になる。左右の壁面においては、想定した額縁の面構造にあるＲＨＤは、必ず設けておく必要があり、横長ＲＨＤが少なくとも１個ある。【０１０７】このようにしてできた縦の調整基板Ｌ−１の側面を右方向から見ると図９０のように表わされ、斜線部分がＲＨＤであり、Ｕで示されるＲＨＤは、Ｂの間隔の中に２ｇおきに、Ｄで示されるＲＨＤは、ｇおきに配列される。図で縦に示されるＲＨＤは、調整底板を組み込むためのものである。調整底板は、各ＳＰＳそれぞれに設けられるので、このＲＨＤの縦幅はこの基板の上端下端にわたって作ることもできる。この調整基板が組み込まれ��とき、この基板の上には、上側の基板Ｕ−１、下には、下側の基板Ｄ−１があり、図における上端と下端のＢは、この厚さを示している。Ｌ１−Ｙは、当初のＳＰＳの縦幅からＢの２倍を差し引いたものであり、これに、２ｇを加えてこの基板の縦幅Ｌ１−Ｈを算出する。平面図上、横幅となるＲＨＤの深さは、２ｇである。ｎｆは、ＲＨＤの奥行きであり、ＤＲは、ＳＰＳの奥行きである。右側の調整基板Ｒ−１に作られるＲＨＤは、これを鏡に映したように同じであるが、横の調整基板および調整底板が組み込まれるＲＨＤの深さはｇである点が異なる。【０１０８】横の調整基板Ｕ−２の面を下方から見ると図９１のように表わされる。斜線部分がＲＨＤであり、Ｂの間隔の間に２ｇおきに配列されている。Ｕ２−Ｘは、当初のＳＰＳの横幅から、Ｂの２倍を差し引いて算出され、この基板の横幅Ｕ２−Ｌは、これに２ｇを加えて算出される。平面図上、縦幅となるＲＨＤの深さは２ｇである。下側の横の調整基板Ｄ−２のＲＨＤは、これを鏡に映したように同じであるが、縦の調整基板が組み込まれる深さが、スライド幅ｇである点において異なる。なお、この二つの図においては、各調整基板の両端の長さｇにわたる部分もＲＨＤとみなして表わしている。この部分を作成する際の加工の深さが、ＲＨＤの深さと同じであるからである。以上の調整枠１と調整基板のＵ−２とＤ−２および選択使用される縦の調整基板の２枚と調整底板をまとめて、説明上、「調整ユニット」と呼ぶことにする。ユニットは、必要なとき、各調整基板を組み込むことにより組み立てられ、段階的に縮小されたＳＰＳを作ることができる。また、棚としても使用できる。【０１０９】また、縮小されたＳＰＳをそれぞれに、当初のＳＰＳから独立した形で面構造を連結して額縁としての縁部分を作ることができる。図９２は、組み込まれた調整ユニットを側面から透視した略図である。当初の側面も示されており、斜線で示される部分が中板ＢＯＥの連続追加によってできたＲＨＤであり、ｎｆは、その奥行きを表わしている。図のＵとＤの番号は、横の基板の位置を表わすとともにＲＨＤの位置を示している。小さな長方形がＲＨＤの位置を示している。Ｕ−１、Ｄ−１の位置にあるＲＨＤは当初のＳＰＳの面構造にあるＲＨＤである。ＤＲは、ＳＰＳの奥行きを示しており、ＷＬは、壁面と室内の境目を表わす壁面線である。ＦＣ−ｎは調整ユニットに連結される面構造を表わしており、これとＦＣ−０をあわせた面構造が当初のＳＰＳの面構造のマット型であり、点線で示されている。図９０と図９１におけるＦＣ−ｎも同じ意味である。縮小されたＳＰＳを構成する調整ユニットに面構造を連結させて、目標のＳＰＳに縁部分を作成することができる。そのためには、縮小の対象を中板ＢＯＥ追加による奥行きｎｆから額縁の厚さＤＲに広げて行うことになるので、各調整基板の奥行きは、ＤＲとなる。調整枠１以降には、縁枠型の面構造を採用し、ＲＨＤ部分の寸法と位置および基板の厚さは変化しないものとして、ラックと基板の長さだけが短縮されるものとする。この場合、各ＳＰＳにおける面構造のＲＨＤの位置も、横の調整基板の位置により移動する。Ｕ−２に位置するＲＨＤは、調整枠１に必要なＲＨＤの位置を示して��り、Ｕ−３に位置するＲＨＤは、調整枠２に必要な位置を示しており、調整枠３以降もこの図のような移動をすると考えられる。【０１１０】このＲＨＤは、縦の調整基板それぞれに設けられるものであり、Ｕ−２に位置するＲＨＤは、基板Ｌ−１の両端に設けられ、ＳＰＳ−１１に収納された絵などを押さえる。Ｕ−３に位置するＲＨＤは、基板Ｌ−２の両端に設けられ、ＳＰＳ−２２によって使用され、Ｕ−４に位置するＲＨＤは、基板Ｌ−３の両端に設けられ、ＳＰＳ−３３によって使用される。この状況は、図８９において、点線で示される縦の調整基板の長さと位置によって示される。Ｒで示される右側の縦の調整基板についても同様である。このように、目標のＳＰＳが使用するＲＨＤは、ＳＰＳの番号より、ひとつ次の番号によって示される位置で、縦の調整基板に設けられる。このようにして、目標とするＳＰＳを構成する調整枠に面構造を連結することができる。このようにして、段階的に調整された各ＳＰＳに縁部分をつけることができる。これを正面からみたときの概観を示すと図９３のようになり、選択使用された縦の調整基板の位置が点線で示される。このときは、目標のＳＰＳにとって、埋め込みの一定部分は、このＳＰＳと壁掛けスペースの間の空間およびこの中にある各調整基板と考えられるが、実際においては、このＳＰＳを構成する横と縦の基板のうち、直接にＳＰＳを構成する部分のみと想定することができる。【０１１１】このようにして、縮小の対象を奥行きＤＲとし、一定の面構造を連結したため、側面から見た場合の横幅がＤＲとなった調整ユニットを「埋め込みユニット」呼ぶことにする。したがって、各調整基板の横幅はＤＲとなる。この面構造は、専用アクセサリーの組み込み前においては、図９２に示されるようにその奥行きがＤＲであり、壁面線ＷＬより室内に張り出している部分がない。このため、あらかじめ、当初のＳＰＳの作成において、横長ＲＨＤの奥行きｎｆの位置を保ったまま２枚目以降の単純外枠の追加を想定することにより、側面から見て、当初の面構造の位置を室内側に張り出させることができる。このため、面構造にあるＲＨＤと中板ＢＯの使用によるＲＨＤの間に、壁面線ＷＬの位置が定まることになる。また、調整枠１以降のＳＰＳに使用する専用アクセサリーの本体の高さを調節しておくことにより、縮小後のＳＰＳに面構造を連結しても、当初のＳＰＳ全体においてマット型の構造を使用できることになる。本体の高さは、図３９で示される二つのＢのうち、図３８に示されるＢである。【０１１２】このときの単純外枠の追加に必要な厚さの増分は、縁板の厚さにｆを加えたものであり、本体の高さは、ｆである。また、室内への張り出しを造作しないで、マット型の構造を使用するには、図９２において面構造の位置をそのままにして、奥行きｎｆの位置が、この分だけ右に移動させるように、あらかじめ２枚目以降の単純外枠の中板の追加を想定することになる。このようにして、埋め込みユニットと当初のＳＰＳの面構造における立面から見たＲＨＤの位置を調整することができる。この場合、当初のＳＰＳ全体にマット型を使用する際の支障がなくなり、最大基板に設ける画面窓の大きさは、このＳＰＳと同じか、これより１段��大きいものとなる。このときの概観は、図９４のように表され、斜線部分が正面から見える最大基板の部分である。なお、室内への張り出しによってこの調整をする場合、この部分を埋め込みの一定部分として把握して、外枠を構成する縁部分を造作する必要がある。このときはまた、専用アクセサリーの内枠化を行うことが比較的容易にできる。想定する額縁においては、その面構造に、図６７で示す中板ＢＯＲを使用することになる。図のＢＲ部分の切り取りによってできる空間は、壁面線に接してできるので造作がしやすい。このようにした場合、埋め込みユニットは、既に、横長ＲＨＤに組み込まれる横の調整基板Ｕ−１、Ｄ−１のＢハンドによって固定されているが、当初のＳＰＳの面構造に使用した最大基板によっても室内側からも押さえられる。【０１１３】また、図９５は、面構造の位置を調整する前における埋め込みユニットの調整枠１を立面から見た略図であるが、点線ＥＬで示す囲み枠が壁掛けスペースであり、斜線で示す部分が調整基板Ｕ−１とＤ−１のＢハンドである。この部分とこれに隣接した細長い長方形で示される部分が横長ＲＨＤを表わしている。ｎｆで示される長さが、調整ユニットの奥行きであり、ＤＲで示される長さが、ＳＰＳの奥行きであるとともに埋め込みユニットの奥行きとなっている。Ｂハンドをｃｆにわたって切り取ると、この長さの範囲内でユニット全体をＳＰＳの前面へ移動させることができるようになるとともに室内側に倒れないようにすることができる。また、Ｂハンドをｂｆにわたって切り取り、ユニットの奥行きを図のＤＲに保ったまま、中板ＢＯＥをｂｆの厚さの分だけ追加して、当初のＳＰＳの奥行きＤＲをこれより伸ばして作ると、奥行きに向かって位置を調整することができる。したがって、これを行う場合、あらかじめ、当初のＳＰＳの奥行きをＤＲにｂｆを加えた長さに設定することもできる。このように、このＢハンドのｃｆとｂｆの部分を切り取ることを「横１Ｂハンドの限定カット」と呼ぶことにする。これを利用しても、当初のＳＰＳと目標のＳＰＳの面構造の奥行きにおける位置を調整できる。【０１１４】調整ユニットや埋め込みユニットを使ってＳＰＳを縮小しても、図８９のｆａ、ｆｂで表わされる隙間の配分量がＢより小さい場合は、調整不可能になる。このような段階または、この前段階で、ユニットによる調整を終えて、別な調整手段により微調整をするのが実際的である。たとえば先の加工しやすい材料を使った収納アタッチメントの利用などであるが、小型のものについては、先のピンソケットを利用することができる。縮小後のＳＰＳの正面奥の壁面は、前面に移動しているのでこれに、ピンソケット付きの額縁を押しさすのである。このときは、中央の位置や長さを測るまでもなく、目測により壁掛けできる。これは、隙間が小さいからできることである。また、通常のフックによっても同様にできる。【０１１５】図８９や図９３に示されるように、これらのユニットの使用によって縮小されたＳＰＳは、絵などの壁掛けだけでなく、通常の棚としても使用できるものである。また、ＲＨＤの数を増やすと、縮小後の位置を中心から移動させることもできるので、あらかじめ、段階的調整手段を講じておくことは、��ＰＳの効用を高める。この観点から、絵などを壁掛けしないとき、ユニットの調整基板をＳＰＳの縮小と無関係に組み込み込んで１個のＳＰＳを複数の箱状の棚に分けて、通常の棚として使用することもできる。また、ＳＰＳの奥行きに見合う家具などを配置して専用アクセサリーを組み込んでおくと、地震対策にもなり、その効果はインテリア一般にも及ぶことになる。このようにＳＰＳを壁掛けスペースとして使わないで、調整基板を通常の棚などに転用して使うことを「ＳＰＳの一般使用」と呼ぶことにし、このなかで、調整基板を使用する場合を「ＳＰＳの分割使用」と呼んでおくことにする。
【発明の効果】
【０１１６】  横入れ方式の額縁は、額縁のあり方のひとつとして当然に存在するものであが、一般市場にないのは、この方式自体にも短所があるからである。この欠点は、ピンソケット付きの額縁を作る事により、解決されたように見えるが、実際の使用においては、軽量化された小型の額縁に有効なものである。大型の額縁においては、正面入れ替え方式の額縁を壁面への埋め込みとして、壁掛けするのが適しているように思われる。この方式は、同一の額縁においてその趣を変えるために考案した全部ラック付きの額縁から、中板の作成をつうじて導かれるものであり、その根本的な要素は、基本アクセサリーラックとこれに使用する専用アクセサリーにあるが、重ね貼り合わせの方法を用いなければ、その進展はなかったと思われる。【０１１７】壁面への埋め込みは、正面入れ替え方式の額縁において初めて可能となると考えられ、これにより、室内の家具一般が壁面を構成する要素として、扱うことができるようになり、インテリアの創造において新しい要素が加わることになると考えられる。また、埋め込みには、少なくとも一般的な棚状の空間が必要であり、これを、額縁などの埋め込みや本棚などに自由に使えることが望ましいと考えられ、その見地から埋め込みユニットを提案した。これにより、ラックスペースの大きさが段階的に調節できることになり、また、ラックハンドのない棚においても、埋め込まれた額縁同様に壁掛けできる可能性が高まり、隙間の微調整が完全になれば、作り付けの棚はすべてラックスペースとなり、これまで大きすぎると考えられた額縁や家具なども安全な形で設置できるようになると思われる。幸いに、重ね貼り合わせの額縁はこの壁面埋め込みの説明には適しているように思われる。
【発明を実施するための最良の形態】
【０１１８】貼り合わせの額縁の作成に使用する材料は、厚みの少ない板であり、木材に限らず、軽量のアクリルやプラスチックなども使用できる。また、この作成においては、切り抜き部分が材料の大半を占めるので、材料を節約する方法が必要である。中板や縁板は、規則性をもたせて分割して、分割された各板を平面図上の位置を保つように貼り付けることにより、分割しないで重ね貼り合わせたものと同じ額縁を作ることができる。このことは、あらかじめ分割を想定し、元板の条件に適う別の板から合理的に切り取ることにより、分割された各板を作成できることを意味する。また、各板の元板を必要に応じ、追加使用することができるので、額縁の寸法を決定した後、これらの元板をあらかじめ、準備しておくことも有用である。また、額縁のデザインにおいては、形や材質を考慮することは当然であるが、貼り合わせの額縁においては、これらを各板ごとに別なものにすることができるので、デザインの幅が広がるとともに、額縁の強度や重さを考慮した厚さの小さい額縁を作ることができる。全部ラックと専用アクセサリーについてもそれぞれ材質を換えることができ、材料の選択において極めて柔軟性があると考えられる。【０１１９】また、壁面等への埋め込みは、専門家の造作により行われるのが妥当であり、このことは、額縁が大型化すればするほどその必要性は高くなると考えられる。材料や構造面だけでなく、インテリアの面から総合的な判断が要求されると考えざるを得ないからである。その意味では、この実現には、産業分野の協力が必要であり、一定の規準に則って行われるべきであると考えられる。
【実施例１】
【０１２０】  中板は、分割して底板を基準にして貼り合わせることができるが、その際、規則性をもたせると作業の合理化につながる。図９６は、横入れ方式の額縁作成のおける中板の縦の分割であり、図９７は同じく横の分割である。裏蓋方式の中板の分割は、図９９、図１００のようになる。２方式においては、分割された各中板の大きさが同じではない。縁板も、分割して底板および中板を基準にして貼り合わせて額縁を作ることができるので、あらかじめ、分割された縁板を作成できる。図１００は、縁板の縦の分割であり、図９９は同じく横の分割であり、図９８は同じく、斜めの分割であり、裏蓋方式と横入れ方式による分割の違いはない。この分割は、追加使用する各元板についても適用することができる。分割を適用した作成においては、各板の分割の仕方を適切に組み合わせて、できあがりの額縁の強度をできるだけ保ちながら、デザインを考慮することが重要である。【０１２１】  また、全面アクセサリーラックを作成する際の縁板、中板にも適用可能であるが、これらは、この分割の前に枠状に２分割されているので、個別に、この分割を適用する必要があり、特に前板については左右対称ではないので留意する必要がある。この分割により、材料を節約し、材質の模様の縦横を使い分けることができる。重ね貼り合わせの際は、できあがりの額縁の平面図における各板の位置関係を崩さないように工夫して基準となるものを定め、直角を大きくかたどった直角台を使用するなどにより、できるだけ正確に行なう必要がある。このことは、額縁の平面図が矩形でない場合は特に要求される。なお、裏蓋方式においても、横入れ方式においても、重ね貼り合わせの基準となる板は、分割しない方が、作業が簡単になる。正面入れ替え方式の額縁においては、拡張型の縁幅は、外枠の縁幅と専用アクセサリーの横幅により構成されると考えられるので、斜めの分割はこの両者に適用できる余地があると考えられる。ラック型においては通常の分割ができる。
【実施例２】
【０１２２】  平面図における元板の形が矩形でない場合として、正面から見た形が円形の横入れ方式の額縁を作ることにする。図２に示す底板と中板の元板を準備する。中板には、横の分割を適用し、寸法を定め準備する。底板と中板には、側面式のピンソケットを作成するための加工を行なっておく。縁板の元板を用意する前に、大きな白紙上で設計する必要がある。白紙に、図２の底板の平面図における形を実物大で写し取り、図１０１のように２本の対角線により、長方形の中心を定め、これを円の中心として、この中心から対角の点までの距離を半径として円を描く。各板を重ねて貼り合わせたときと同じように、この白紙上で、用紙収納スペースを描き、次に押さえ幅の大きさをとって画面窓を描く。そして、縦に分割された縁板を作るための基礎となる板の寸法を、長方形ａｂｃｄの各辺の長さとして図のように定める。この長方形を図６７の斜線部分のように切り取り加工をする。このようにして上下の分割された縁板を作り、左右についても、同様に作成する。これを用紙収納板の上に順次、貼りつけて、貼り合わせの作業をすることになるが、あらかじめ、平面図上の画面窓の位置と寸法を、底板にとっておくことや分割された縁板に貼り合わせの基準点を取っておくことが、重要である。このようにして円形の形をした横入れ方式の額縁を作成することができる。外見が円形の額縁は、裏蓋方式においても同様にして作成できる。
【実施例３】
【０１２３】  元板の追加使用の有効性を示す例として、全部アクセサリーラックを横入れ方式の額縁に作ることにする。寸法は、図４９に示す全部ラックと同じであり、専用アクセサリーもこれに同じである。横入れ方式の額縁において、図４７のような上下ラックの作成し、これに縦のラックの付け足しを行い、専用アクセサリーの組み足しを行なうと中板の分割が複雑になるだけでなく、額縁右側の縦の専用アクセサリーの組み込みによって、横入れ方式特有の用紙差し込み口が塞がれてしまうことになる。これを回避するために、中板の元板を追加使用する。この元板を中板に加工しないで、縁板に加工する。この板を、縁板の前板と呼ぶことにする。重ね貼り合わせの際は、下から、底板、中板、前板、縁板の順序になる。したがって、この場合の加工は、前板と縁板に施されることになり、図５５の説明で中板に行なった全部ラック作成のための加工を前板に施すことになり、このため本来の中板の加工は不要となる。想定する上下ラックの作成においてもこの前板の導入がなされたものとし、これを基礎に、縁板と中板におけるラックの付け足し必要な加工をする。この４枚を重ね貼り合わせると、全部アクセサリーラック付きの横入れ方式の額縁ができる。なお、専用アクセサリーは、裏蓋方式の全部ラックで使用したものをそのまま使うことができる。
【実施例４】
【０１２４】  アクセサリーラックの応用として、トンボなどの部品を使わない裏蓋方式の額縁を作る。あらかじめ、中板の元板を追加使用するために準備しておく。まず、できあがりの額縁の裏面から見た場合を想定し、底板を縁板の元板として見立て、裏蓋の切り抜き加工を、裏蓋の縦幅をラックの幅とした基本ラックを作るための加工として把握する。したがって、裏蓋からアクセサリー本体を作ることになるので、適切なスライド幅ｇを設定し、裏蓋の横幅を２ｇだけつめる。次に準備しておいた中板の元板は、重ね貼り合わせの際は、底板の後板として使用するが、貼り合わせの前に新たな加工する必要がある。直角台を使用し、後板に底板を重ね合わせて裏蓋の切り抜き部分を投写した後、この長方形の左右に図５５のＢＳＬ、ＢＳＲような横幅が２ｇおよびｇの縦に細長い長方形を付け加えて切り抜き除外する。貼り合わせの際は、下から、底板、後板、中板、縁板の順になる。次に、追加した中板の元板から切り抜き除外した板の横幅をｇだけつめると、専用アクセサリーの基板として使えるので、平面図上、この基板の両端に２ｇの爪部分を残して、これに横幅を詰めた裏蓋を接着剤で貼り付ける。このようにして、専用アクセサリータイプの裏蓋を作ることができる。
【実施例５】
【０１２５】押さえ縁を持たせたまま、ピンソケットを額縁から切り離した形で、絵などの掲示に使うことができる。側面式ソケットの配置をしめす図２１、Ｌ字型のソケットの配置を示す図２８において、点線で示される部分を切り取って作成する。また、あらかじめ、この部分を設計して作成することもできる。このときも、重ね貼り合わせを採用し、各板の追加ができる。この場合、押さえ縁があれば底板がなくとも、壁面がこれに代わりソケットは機能する。
【実施例６】
【０１２６】屋内で壁掛けをして屋外で鑑賞する。透明な素材を使った正面入れ替え方式の額縁を作成し、ショーウィンドウのような大きな窓ガラスを壁面に見立てて屋内に壁掛けをするが、この際、屋外からの鑑賞方向を前提にして、絵やポスターやアタッチメントを屋内から収納および入れ替えを行う。このようにすると街路での宣伝と鑑賞がスマートな形になる。この額縁にマット型の構造を利用すると、屋内と屋外から、ともに鑑賞できるように絵などを収納することができる。このような場合、貼り付けを行うと底板はなくとも機能し、アタッチメントの両面に画面窓を作成することも有効に作用すると考えられる。
【実施例７】
【０１２７】あらかじめ、厚い透明ガラスやアクリル板に正面入れ替え方式の額縁を埋め込んでおくこともできる。このようにすると、ユーザーにとって、実施例６の利用が容易にできる。
【実施例８】
【０１２８】窓ガラスの設置を屋内からの埋め込みとして行う。この場合、窓に使用するガラス自体を絵や収納アタッチメントとして、これを飾る額縁を想定し、これを埋め込んで屋内から設置することができる。このときの埋め込みの一定部分は平面図上、想定する額縁の外枠部分の層にわたる部分と平面図上、底板から拡大規格の画面窓を切り抜いた部分の底板とする必要がある。この場合専用アクセサリーでガラスを屋内から押さえることになるが、このとき、専用アクセサリーの内枠化を行うと一定のロック効果があり、さらにこれに完全なロック機構を備えることにより、安全性が高まる。
【実施例９】
【０１２９】ラックスペースに、縦方向にスライドさせて使うラックハンドを造る。ラックハンドは、想定する額縁の中板の作成における図６６の位置を横方向の位置とすると、縦の方向でも作成できるものであり、この場合縦の専用アクセサリーを先に組み込むことになり、上に位置する差し込み幅が２ｇにする必要がある。
【実施例１０】
【０１３０】壁面上で組み立てる額縁を作成する。たとえば、縁枠型の構造の額縁を作成する際、この外枠部分の裏面にそれぞれ複数のピンソケットを設け、底板は重ね貼り合わせないできあがりの額縁を、平面図上、外枠を構成する縁板に縦の分割を適用する場合のように、重ね貼り合わせの全部の層にわたり切断する。このようにすると２個以上のピンソケットをもった４個の縁部分ができる。ソケットに画鋲などのピンを組み入れ、壁面上で、組み立てて、縁枠型の正面入れ替え方式の額縁を作る。これに、絵やアタッチメントを収納すると同時に、専用アクササリーを組み込んで使用することができる。この場合、収納スペースの厚さは、専用アクセサリーを両面アクセサリーとすることにより設定できる。
【実施例１１】
【０１３１】額縁の壁面等への埋め込みは、室内の壁面に限らず、その他の平面を構成する壁面等においても可能である。奥行きおよび大きさを問わず、ラックスペースとラックハンドを作成し、これに見合う縦横の専用アクセサリーを作成使用すれば利用できる。たとえば、窓枠を埋め込みの一定部分に見立てて、ガラスを底板に見立てると、窓枠にラックハンドを設けることになる。また、大きな木製家具の扉や引き戸や室内を臨時的に仕切るための仕切り板やついたての平面上においても作成可能なものである。
【実施例１２】
【０１３２】ラックスペースの利用については、一般使用も可能であり、この際は、このスペースの大きさに合う家具や家電製品を収納し、専用アクセサリーによって押さえておくと室内を広く使えるとともに地震対策にもなる。
【図面の簡単な説明】
【０１３３】
【図１】基礎的部分を表わす空間の斜視図
【図２】元板の斜視図
【図３】直角台の斜視図
【図４】普遍的額縁および横入れ方式の額縁における底板を作成するための元板の加工図
【図５】普遍的額縁および裏蓋方式の額縁における中板を作成するための元板の加工図
【図６】縁板を作成するため元板の加工図
【図７】裏蓋方式の額縁における底板を作成するため元板の加工図
【図８】裏蓋方式の額縁の平面図
【図９】図８におけるＹ１−Ｙ１部分の断面図
【図１０】図８におけるＸ１−Ｘ１部分の断面図
【図１１】横入れ方式の額縁における中板を作成するため元板の加工図
【図１２】横入れ方式の額縁作成における各板の重ね方の説明図
【図１３】用紙収納板の斜視図
【図１４】横入れ方式の額縁の平面図
【図１５】図１４におけるＹ１−Ｙ１部分の断面図
【図１６】図１４におけるＸ１−Ｘ１部分の断面図
【図１７】横入れ方式の額縁の平面図におけるＸ２−Ｘ２部分の断面図
【図１８】ピンソケットの説明図
【図１９】貼り合わせの額縁におけるピンソケットの説明図
【図２０】平頭ピンの側面図
【図２１】側面式ピンソケットの配置図
【図２２】側面式ピンソケットを作成するための中板の加工図
【図２３】側面式ピンソケットを作成するための底板の加工図
【図２４】側面式ピンソケットの部分を表す平面図
【図２５】図２４におけるＹ１−Ｙ１部分の断面図
【図２６】図２４におけるＸ１−Ｘ１部分の断面図
【図２７】図２４におけるＸ２−Ｘ２部分の断面図
【図２８】Ｌ字型ピンソケットの配置図
【図２９】Ｌ字型ピンソケットを作成するための中板の加工図
【図３０】Ｌ字型ピンソケットを作成するための底板の加工図
【図３１】Ｌ字型ピンソケットの部分を表す平面図
【図３２】図３１におけるＹ１−Ｙ１部分の断面図
【図３３】図３１におけるＸ１−Ｘ１部分の断面図
【図３４】図３１におけるＸ２−Ｘ２部分の断面図
【図３５】図３１におけるＸ３−Ｘ３部分の断面図
【図３６】基本ラックの説明図
【図３７】基本ラックに使用する専用アクセサリーの平面図
【図３８】基本ラックに使用する専用アクセサリーの立面図
【図３９】基本ラックに使用する専用アクセサリーの側面図
【図４０】使用する水平器の説明図
【図４１】水平を取るための専用アクセサリー本体の説明図
【図４２】基本ラックを作成するための縁板の加工図
【図４３】基本ラックを作成するための中板の加工図
【図４４】基本ラックの部分を表す平面図
【図４５】図４４におけるＹ１−Ｙ１部分の断面図
【図４６】図４４におけるＸ１−Ｘ１部分の断面図
【図４７】上下のラックの説明図
【図４８】部分ラックの説明図
【図４９】全部ラックの説明図
【図５０】基板の組み足しの説明図
【図５１】組み足しのための基板ＡＢ１左端の加工図
【図５２】組み足しのための基板ＡＢ１右端の加工図
【図５３】組み足しのための基板ＡＢ２左端の加工図
【図５４】組み足しのための基板のＡＢ２右端の加工図
【図５５】全部ラック作成のための中板の加工図
【図５６】全部ラック付の裏蓋方式の額縁の平面図
【図５７】図５６におけるＹ２−Ｙ２部分の断面図
【図５８】図５６におけるＸ１−Ｘ１部分およびＸ３−Ｘ３部分の断面図
【図５９】図５６におけるＸ２−Ｘ２部分の断面図
【図６０】専用アクセサリーＡＣ３とＡＣ１の結合部分の断面図
【図６１】専用アクセサリーＡＣ３とＡＣ２の結合部分の断面図
【図６２】ラック型の平面図
【図６３】図６２におけるＹ２−Ｙ２部分の断面図
【図６４】図６２におけるＸ１−Ｘ１部分の断面図
【図６５】図６２におけるＸ２−Ｘ２部分の断面図
【図６６】拡張型における中板ＢＯＥの加工図
【図６７】拡張型の正面概観図
【図６８】専用アクセサリーの内枠化に使用するアクセサリー本体側面図
【図６９】内枠化に使用する横の専用アクセサリーの平面図
【図７０】内枠化に使用する縦の専用アクセサリーの平面図
【図７１】内枠化に使用する中板ＢＯＲの加工図
【図７２】内枠化後の拡張型の正面概観図
【図７３】縁枠型の面構造をもつ拡張型の平面図
【図７４】図７３におけるＹ１−Ｙ１部分の断面図
【図７５】図７３におけるＹ２−Ｙ２部分の断面図
【図７６】図７３におけるＸ１−Ｘ１、Ｘ３−Ｘ３の部分の断面図
【図７７】図７３におけるＸ２−Ｘ２部分の断面図
【図７８】マット型の面構造をもつ拡張型の平面図
【図７９】図７８におけるＹ１−Ｙ１部分の断面図
【図８０】図７８におけるＹ２−Ｙ２部分の断面図
【図８１】図７８におけるＸ１−Ｘ１、Ｘ３−Ｘ３部分の断面図
【図８２】図７８におけるＸ２−Ｘ２部分の断面図
【図８３】壁掛けスペースを概観した図
【図８４】マット型の面構造をもつ拡張型の埋め込みを表わした図
【図８５】図８４におけるＹ１−Ｙ１部分の断面図
【図８６】図８４におけるＸ１−Ｘ１、Ｘ３−Ｘ３部分の断面図
【図８７】上側の横の調整基板がラックハンドと組み合う状況を表わす図
【図８８】下側の横の調整基板がラックハンドと組み合う状況を表わす図
【図８９】ラックスペースを縮小する際の各調整基板の位置の説明図
【図９０】調整ユニットにおける調整基板Ｌ−１の側面図
【図９１】調整ユニットにおける調整基板Ｕ−２の側面図
【図９２】面構造を連結する際のラックハンドの位置の説明図
【図９３】目標のＳＰＳに面構造を連結したときの正面概観図
【図９４】図９３の連結に加えて当初のＳＰＳのマット型を使用した正面概観図
【図９５】Ｂハンドの切断を説明するための立面からの説明図
【図９６】中板の縦の分割を表わす図
【図９７】中板の横の分割を表わす図
【図９８】縁板の斜めの分割を表わす図
【図９９】縁板の横の分割を表わす図
【図１００】縁板の縦の分割を表す図
【図１０１】実施例２における円形の縁板の作成を示す図
【符号の説明】
【０１３４】ＰＬ  空間の横の長さ
ＰＨ  空間の縦の長さ
ＰＤ  空間の厚さ
Ｌ  元板の横の長さ
Ｈ  元板の縦の長さ
Ｄ  元板の厚さ
９０  角度
Ｅ２  切り抜き除外部分
Ｂｗ  中板の縁幅
Ｅ３  切り抜き除外部分
Ｆｗ  縁板の縁幅
Ｅ１  切り抜き除外部分
Ｃｗ  底板の縁幅
ｄ１  とどめ幅
ｄ３  押さえ幅
ｆ  中板の厚さ
Ｐ１  規格用紙の横の長さ
Ｐｈ  規格用紙の縦の長さ
Ｗ  画面窓
Ｒ  切り取り除外部分
Ｆ  縁板
Ｂ  中板
Ｃ  底板
ｒ  平頭ピンの平頭部の半径
ｔ１  底板の厚さ
ｔ２  壁に刺さる部分
ｔ  ピン足の長さ
ｅ  ピン足の太さ
Ｓ２  切り取り部分
実線の円  平頭ピンの移動開始位置
Ｓ１  切り取り部分
点ｍ  辺ａｂの中点、切取り部分Ｓ１の左端
点ｎ  切取り部分Ｓ１の右端
ｋ  一定の値
２ｒ  平頭ピンの平頭部の直径
Ｔ１  切り抜き除外部分
Ｔ２  切り抜き除外部分
Ｔ３  切り抜き除外部分
Ｔ１−１  切り抜き除外部分
Ｔ２−１  切り抜き除外部分
Ｔ３−１  切り抜き除外部分
点ｈ、ｉ、ａ、ｂ、ｃ、ｄ  それぞれ平面図上の基準点
点ｐ  辺ｉｂの中点、切り取り部分Ｔ３−１の上端
点ｑ  切り取り部分Ｔ３−１の下端
Ｘ  基本ラックの横の長さのうち縁板に現れるラックの長さ
Ｂ  基本ラックの幅
Ａ  専用アクセサリー本体の長さ
２ｇ  差し込み幅
Ｌｓ  水平器の横の長さ
Ｕ３  切り抜き部分
Ｕ２  切り抜き部分
ｇ  スライド幅
Ｘｓ  部分ラックの横の長さ
Ｙ  縦のアクセサリーラックの長さのうち縁板の層に現れる長さ
ＲＣ１  額縁上部縁部分のアクセサリーラック
ＲＣ２  額縁下部縁部分のアクセサリーラック
ＲＣ３  額縁右側縁部分のアクセサリーラック
ＲＣ４  額縁左側縁部分のアクセサリーラック
ＦＯ  外側の枠状の縁板
ＦＩ  内側の枠状の縁板
ＢＵ１  専用アクセサリーＡＣ１組み込み後にできる空間を表す部分
ＢＵ２  専用アクセサリーＡＣ２組み込み後にできる空間を表す部分
ＢＵ３  専用アクセサリーＡＣ３組み込み後にできる空間を表す部分
ＢＵ４  専用アクセサリーＡＣ４組み込み後にできる空間を表す部分
ＡＢ１  専用アクセサリーＡＣ１の基板
ＡＢ２  専用アクセサリーＡＣ２の基板
ＡＢ３  専用アクセサリーＡＣ３の基板
ＡＢ４  専用アクセサリーＡＣ４の基板
ＢＳ３  作業単純化のための切り取り部分
ＢＳ４  作業単純化のための切り取り部分
ｐ  作業単純化のための切り取り部分
ＢＯ  外側の枠状の中板
ＢＩ  内側の枠状の中板
Ｖ２  切り抜き部分
ＢＳＲ  合理化した切り取り部分
ＢＳＬ  合理化した切取り部分
ＡＣ１  ＲＣ１に組みこむ専用アクセサリー
ＡＣに  ＲＣに組みこむ専用アクセサリー
ＡＣ３  ＲＣ３に組みこむ専用アクセサリー
ＡＣ４  ＲＣ４に組み込む専用アクセサリー
ＲＨ−ＬＵ  左上のラックハンド
ＲＨ−ＬＤ  左下のラックハンド
ＲＨ−ＲＵ  右上のラックハンド
ＲＨ−ＲＤ  右下のラックハンド
ＲＨ  位置を特定しないラックハンドを表わす
ＲＨＤ  明細本文の短縮のためラックハンドを表わす
ＳＰＳ  明細本文の短縮のためラックスペースハンドを表わす
ＤＦ  額縁の厚さを示す
ＤＷ  壁面等の厚さを示す
ＬＷ  ラックスペースの横幅を表わす
ＨＷ  ラックスペースの縦幅を表わす
ＤＲ  ラックスペースの奥行きを表わす
ＥＬ  壁掛けスペースの外形を表わし、点線で示される
Ｕ−ｎ  ｎは番号で調整基板の上からの縦の位置を表わす
Ｄ−ｎ  ｎは番号で調整基板の下からの縦の位置を表わす
Ｌ−ｎ  ｎは番号で調整基板の左からの横の位置を表わす
Ｒ−ｎ  ｎは番号で調整基板の右からの縦の位置を表わす
ｆａ  ＳＰＳにできる絵などとの隙間のうち調整上、縦に配分される大きさを示す
ｆｂ  ＳＰＳにできる絵などとの隙間のうち調整上、横に配分される大きさを示す
ＦＣ−ｎ  調整ユニットに連結される面構造を表わす
ＦＣ−０  当初のＳＰＳに連結される面構造を表わす
Ｌ１−Ｈ  Ｌ１に位置する調整基板の縦幅を表わす
Ｌ１−Ｙ  Ｌ１に位置する調整基板の縦幅を算出するための中間算定値
ｎｆ  調整ユニットの奥行き
Ｕ２−Ｌ  Ｕ−２に位置する調整基板の横幅を表わす
Ｕ２−Ｘ  Ｕ−２に位置する調整基板の横幅を算出するための中間算定値
ＷＬ  室内の壁面を表わす線
ｃｆ  Ｂハンドの前面付近の限定カットの長さ
ｂｆ  Ｂハンドの奥行き方向への限定カットの長さ
【図１】
2007268281.tif 000003
【図２】
2007268281.tif 000004
【図３】
2007268281.tif 000005
【図４】
2007268281.tif 000006
【図５】
2007268281.tif 000007
【図６】
2007268281.tif 000008
【図７】
2007268281.tif 000009
【図８】
2007268281.tif 000010
【図９】
2007268281.tif 000011
【図１０】
2007268281.tif 000012
【図１１】
2007268281.tif 000013
【図１２】
2007268281.tif 000014
【図１３】
2007268281.tif 000015
【図１４】
2007268281.tif 000016
【図１５】
2007268281.tif 000017
【図１６】
2007268281.tif 000018
【図１７】
2007268281.tif 000019
【図１８】
2007268281.tif 000020
【図１９】
2007268281.tif 000021
【図２０】
2007268281.tif 000022
【図２１】
2007268281.tif 000023
【図２２】
2007268281.tif 000024
【図２３】
2007268281.tif 000025
【図２４】
2007268281.tif 000026
【図２５】
2007268281.tif 000027
【図２６】
2007268281.tif 000028
【図２７】
2007268281.tif 000029
【図２８】
2007268281.tif 000030
【図２９】
2007268281.tif 000031
【図３０】
2007268281.tif 000032
【図３１】
2007268281.tif 000033
【図３２】
2007268281.tif 000034
【図３３】
2007268281.tif 000035
【図３４】
2007268281.tif 000036
【図３５】
2007268281.tif 000037
【図３６】
2007268281.tif 000038
【図３７】
2007268281.tif 000039
【図３８】
2007268281.tif 000040
【図３９】
2007268281.tif 000041
【図４０】
2007268281.tif 000042
【図４１】
2007268281.tif 000043
【図４２】
2007268281.tif 000044
【図４３】
2007268281.tif 000045
【図４４】
2007268281.tif 000046
【図４５】
2007268281.tif 000047
【図４６】
2007268281.tif 000048
【図４７】
2007268281.tif 000049
【図４８】
2007268281.tif 000050
【図４９】
2007268281.tif 000051
【図５０】
2007268281.tif 000052
【図５１】
2007268281.tif 000053
【図５２】
2007268281.tif 000054
【図５３】
2007268281.tif 000055
【図５４】
2007268281.tif 000056
【図５５】
2007268281.tif 000057
【図５６】
2007268281.tif 000058
【図５７】
2007268281.tif 000059
【図５８】
2007268281.tif 000060
【図５９】
2007268281.tif 000061
【図６０】
2007268281.tif 000062
【図６１】
2007268281.tif 000063
【図６２】
2007268281.tif 000064
【図６３】
2007268281.tif 000065
【図６４】
2007268281.tif 000066
【図６５】
2007268281.tif 000067
【図６６】
2007268281.tif 000068
【図６７】
2007268281.tif 000069
【図６８】
2007268281.tif 000070
【図６９】
2007268281.tif 000071
【図７０】
2007268281.tif 000072
【図７１】
2007268281.tif 000073
【図７２】
2007268281.tif 000074
【図７３】
2007268281.tif 000075
【図７４】
2007268281.tif 000076
【図７５】
2007268281.tif 000077
【図７６】
2007268281.tif 000078
【図７７】
2007268281.tif 000079
【図７８】
2007268281.tif 000080
【図７９】
2007268281.tif 000081
【図８０】
2007268281.tif 000082
【図８１】
2007268281.tif 000083
【図８２】
2007268281.tif 000084
【図８３】
2007268281.tif 000085
【図８４】
2007268281.tif 000086
【図８５】
2007268281.tif 000087
【図８６】
2007268281.tif 000088
【図８７】
2007268281.tif 000089
【図８８】
2007268281.tif 000090
【図８９】
2007268281.tif 000091
【図９０】
2007268281.tif 000092
【図９１】
2007268281.tif 000093
【図９２】
2007268281.tif 000094
【図９３】
2007268281.tif 000095
【図９４】
2007268281.tif 000096
【図９５】
2007268281.tif 000097
【図９６】
2007268281.tif 000098
【図９７】
2007268281.tif 000099
【図９８】
2007268281.tif 000100
【図９９】
2007268281.tif 000101
【図１００】
2007268281.tif 000102
【図１０１】
2007268281.tif 000103